(57)【特許請求の範囲】
【請求項１】
シート状の防漏体と、
前記防漏体の上部に少なくとも一層配置された、体液を吸収しうる吸収体と、
前記吸収体の上面の少なくとも一部を被覆する、少なくとも一部に液不透過性領域を有するサーフェスシートと、
前記吸収体の上部に、吸収体物品本体の長さ方向の前端部から前身頃、股下部及び後身頃を経て後端部にわたって配置される左右一対のフローティングレッグギャザーと
を具備する吸収体物品であって、
前記フローティングレッグギャザーが、頭部と前記頭部に連なる垂下部とを有し、
前記フローティングレッグギャザーの前端部及び後端部が、吸収体物品本体の前端部近傍及び後端部近傍にそれぞれ結合されて、前記垂下部が前記頭部から前記吸収体に向かって垂れ下がるように構成され、
前記左右一対のフローティングレッグギャザーの前記垂下部の下端の一部が、それぞれ前記サーフェスシートと結合され、体液の移動通路が形成されており、前記左右一対のフローティングレッグギャザーの前記垂下部の前記下端のうち前記一部以外が、それぞれ前記サーフェスシートと結合されておらず、フローティング状態となっている、吸収体物品。
【請求項２】
前記左右一対のフローティングレッグギャザーが、いずれも前記頭部が外側に、前記垂下部が内側に向くように配置され、
前記左右一対のフローティングレッグギャザーの前記垂下部が、互いに間隙をおいて対向して配置され、
前記左右一対のフローティングレッグギャザーの前記垂下部と前記サーフェスシートとの結合部の間にわたって前記サーフェスシートが存在している、請求項１に記載の吸収体物品。
【請求項３】
前記左右一対のフローティングレッグギャザーが、いずれも前記頭部が内側に、前記垂下部が外側に向くように配置され、
前記左右一対のフローティングレッグギャザーの前記頭部が、互いに間隙をおいて対向して配置され、
前記左右一対のフローティングレッグギャザーの前記垂下部と前記サーフェスシートとの結合部の間にわたって前記サーフェスシートが存在している、請求項１に記載の吸収体物品。
【請求項４】
前記サーフェスシートの左右方向の中央部が前記液不透過性領域であり、
前記サーフェスシートの前記液不透過性領域の左右両側が液透過性領域であり、
前記左右一対のフローティングレッグギャザーの前記垂下部が、それぞれ前記サーフェスシートの前記液不透過性領域の左右縁部付近と結合されている、請求項１〜３のいずれかに記載の吸収体物品。
【請求項５】
前記サーフェスシートの左右方向の中央部が前記液不透過性領域であり、
前記サーフェスシートの前記液不透過性領域の左右両側が液透過性領域であり、
前記左右一対のフローティングレッグギャザーの前記垂下部が、それぞれ前記サーフェスシートの左右両側の前記液透過性領域と結合されている、請求項１〜３のいずれかに記載の吸収体物品。
【請求項６】
前記防漏体が前記吸収体の左右縁部の外側から前記吸収体の上側表面上に折り返されて、前記吸収体をその中央部を除いて被覆する前記サーフェスシートを構成し、
前記左右一対のフローティングレッグギャザーの前記垂下部が、それぞれ前記サーフェスシートの前記吸収体の前記中央部から離れた部分で結合されている、請求項１〜３のいずれかに記載の吸収体物品。
【請求項７】
更に、前記サーフェスシートの上側に存在するサポートシートを具備し、
前記サポートシートが、前記左右一対のフローティングレッグギャザーの前記垂下部と結合され、
前記垂下部と前記サポートシートとにより第２の体液の移動通路が形成されている、請求項１〜６のいずれかに記載の吸収体物品。
【請求項８】
前記サポートシートが前記左右一対のフローティングレッグギャザーの前記垂下部と結合されている部分が、前記サーフェスシートが前記左右一対のフローティングレッグギャザーの前記垂下部と結合されている部分に含まれる、請求項７に記載の吸収体物品。
【請求項９】
前記体液の移動通路が少なくとも股下部の領域に設けられている、請求項１〜８のいずれかに記載の吸収体物品。
【請求項１０】
前記体液の移動通路が少なくとも前身頃の領域に設けられている、請求項１〜９のいずれかに記載の吸収体物品。
【請求項１１】
前記体液の移動通路が少なくとも後身頃の領域に設けられている、請求項１〜１０のいずれかに記載の吸収体物品。
【発明の詳細な説明】
【技術分野】
【０００１】  本発明は、新規なレッグギャザーを備えた吸収体物品に関する。
【背景技術】
【０００２】
紙おむつ（子供用及び大人用）、生理用ナプキン、失禁用品、トレーニングパンツ等の吸収体物品は、高吸水性樹脂（Ｓｕｐｅｒ  Ａｂｓｏｒｂｅｎｔ  Ｐｏｌｙｍｅｒ、以下「ＳＡＰ」ともいう。）やフラッフ状パルプ等を用いた吸収体により、着用者から排出された尿等の体液を吸収する物品である。
従来の吸収体物品は、吸収体を着用者の身体の表面に隙間なく密着させることによって、排出された体液を吸収体の表面から内部に移行させて吸収させ、これにより漏れを防いでいる。
このような吸収体の着用者の身体への密着状態は、吸収体に「外部からの押圧」を加えることにより実現される。子供用おむつを例にしてより詳しく説明する。
子供用おむつにおいては、「外部からの押圧」を発生させるものとして、各種の伸縮性材料（パンティーストッキング、サポーター、競泳用水着等に用いられているのと同様のもの）が各部に配置されている。特に、近年、子供用おむつの主流になっているテープレスのパンツ型おむつにおいては、身体の動きが活発になる幼児（体重の目安として約６ｋｇ以上）を主たる対象にしているため、伸縮性材料を用いることが必須となっている。
パンツ型おむつにおける伸縮性材料としては、一般に、以下のものが用いられる。
（１）ウエストギャザーバンド（腰部伸縮体）：おむつ本体の前端部と後端部とを連結し、おむつをウエスト周りに密着させ、ずれ落ちを防ぐ固定バンドとして働く。
（２）シャーリングギャザー又はトランクギャザー（胴部維持伸縮体）：おむつの背面及び腹面をそれぞれカバーするように存在し、背面付近及び腹面付近にある吸収体を着用者の身体の表面に押し付ける機能を奏する。
（３）レッグギャザー（脚部伸縮体）：股下部付近において、おむつ本体と着用者の身体との間に隙間が生じないようにシールするとともに、吸収体の側面からの漏れを防ぐ堰（バンク）としての役割を果たす。レッグギャザーは、その役割に応じて次の３種類に分類され、いずれかを単独で、又は２種以上を組み合わせて用いられる。
（３ａ）第１インナーレッグギャザー（ＩＬＧ）：吸収体上又は吸収体の側縁に設けられ、伸縮性の頭部と不織布製の脚部とを持ち、通常は立ち上がった形状を持つ。
（３ｂ）第２インナーレッグギャザー（ＩＬＧ）：吸収体の側縁又は外側に設けられ、伸縮性の頭部と不織布製の脚部とを持ち、通常は立ち上がった形状を持つ。
（３ｃ）アウターレッグギャザー（ＯＬＧ）又はガゼットギャザー：おむつ本体の側縁において、トップシートと防漏体とで伸縮性材料を両面から挟んで設けられ、通常はフラットであるが、場合によっては内側に折り返されて、立ち上がる形状にして使用される。
特許文献１には、請求項１に、
「着用者からの尿を受ける男性用の吸収性物品であって、
撥水性または不透液性のシート部材により形成されるとともに上端に着用者の男性器が
挿入される開口を有する袋部と、
前記袋部の内部に配置された透液性の内部シートと、
前記袋部と前記内部シートとの間に配置されて前記着用者からの尿を吸収する吸収部と
、
前記内部シートに接合され、収縮することにより前記内部シートの少なくとも一部にギ
ャザーを形成する弾性部材と、
を備えることを特徴とする吸収性物品。」
が記載されている。
特許文献２には、請求項１に、
「透液性トップシート及び不透液性バックシート、これらの間に排泄物を吸収し保持する吸収体を備えた紙おむつにおいて、前記トップシートは紙おむつの幅方向に切れ目が入れられ、且つ当該切れ目の周辺部分はトップシートが前記吸収体に接着されずに非接着域が形成され、更に前記切れ目の両端部が前記紙おむつの内面に設けられている立体ギャザーに接着されることにより、前記トップシートが浮き上がり状のポケットを形成できるようにしたことを特徴とする紙おむつ。」
が記載されている。
特許文献３には、請求項１に、
「液体透過性の表面シートと液体不透過性の裏面シートの間に吸収体が配置された使い捨ておむつにおいて、前記表面シートは使い捨ておむつの長手方向に直交する方向で配列された複数枚のシートからなり、前記複数枚のシートは、使い捨ておむつの臀部に接する部分を中心として外側の方に位置する側縁部が前記吸収体表面で接着されており、内側の方に位置する側縁部が前記吸収体表面から離間して自由縁を形成しており、隣接する前記複数枚のシート同士の重なり合った部分で前記自由縁により襞が形成されるとともに、多数の開口部が形成され、かつ使い捨ておむつの長手方向両側縁部に沿って立体ギャザーが形成されていることを特徴とする使い捨ておむつ。」
が記載されている。
【先行技術文献】
【特許文献】
【０００３】
【特許文献１】特開２０１０−２６８９８４号公報
【特許文献２】特開２０１０−１７３９４号公報
【特許文献３】特開平１０−５７４０９号公報
【発明の概要】
【発明が解決しようとする課題】
【０００４】  上述したような伸縮性材料は、幅広のゴムバンドのような強いテンションが集中する態様で使用すると着用者に拘束感を与え、また、痕（マーク）が残るので、一般に、複数の細いポリウレタンフィラメントを並列させた態様にして、テンションを分散させる等の改善努力がなされてきたが、現状のおむつは、依然として、着用者にとって、身体的にも、精神的にも大きな拘束感を伴うものとなっている。  また、この従来のおむつは、「外部からの押圧」により、吸収体の着用者の身体への密着状態を実現させるため、蒸れやかぶれが発生しやすい。  そこで、本発明は、着用時の拘束感が少なく、蒸れやかぶれの発生が抑制された吸収体物品を提供することを目的とする。
【課題を解決するための手段】
【０００５】  本発明者は、上記目的を達成すべく、着用時の拘束感が少なく、蒸れやかぶれの発生が抑制された吸収体物品を、「外部からの押圧」を用いずに、新しいコンセプトにより実現することを検討した。  本発明者は、鋭意研究の結果、吸収体の上面の少なくとも一部を被覆する、少なくとも一部に液不透過性領域を有するサーフェスシートを設けた上、吸収体の上部に、吸収体物品本体の長さ方向の前端部から前身頃、股下部及び後身頃を経て後端部にわたって配置される左右一対のフローティングレッグギャザー（以下「ＦＬＧ」ともいう。）として、頭部と頭部に連なる垂下部とを有し、ＦＬＧの前端部及び後端部が、吸収体物品本体の前端部近傍及び後端部近傍にそれぞれ結合されて、垂下部が頭部から吸収体に向かって垂れ下がるように構成されたＦＬＧを設け、さらに、左右一対のＦＬＧの垂下部が、それぞれサーフェスシートと結合され、垂下部とサーフェスシートとにより体液の移動通路が形成されるようにすることにより、吸収体物品の着用時において、ＦＬＧが吸収体と離間するため、着用時の拘束感が少なく、また、吸収体上に排出された尿や便が着用者の肌に接触することが効果的に抑制され、ひいては蒸れやかぶれの発生が抑制されることを見出し、本発明を完成させた。【０００６】  本発明は、吸収体物品を構成する部材の中でも、特に、スキンコンタクト部材と吸収体部材に着目し、（１）従来の吸収体物品においては、吸収体とそこから立ち上がるギャザーとが両方とも着用者の肌に押圧されていたのに対し、「着用者の体液排出器の側縁の肌に常時、柔らかく密着して働くスキンコンタクト部材」と「形態保持性が必要で、剛性のある吸収体部材」とに機能的に分離した上、（２）上記「吸収体部材」を着用者の身体の表面から物理的に離間させ、かつ、（３）上記「スキンコンタクト部材」として、左右一対の頭部と、前記頭部から吸収体部材に向かって垂れ下がる左右一対の垂下部とを有するＦＬＧを別体として設けることにより、  従来の吸収体物品のように、吸収体を着用者の身体の表面に圧着させることなく、しかも吸収体が着用者の身体の表面と離間したままの状態で、吸収体の吸収機能を十分に発揮することができる新規な吸収体物品を提供するものである。【０００７】
すなわち、本発明は、以下の（１）〜（１１）を提供する。
（１）シート状の防漏体と、
前記防漏体の上部に少なくとも一層配置された、体液を吸収しうる吸収体と、
前記吸収体の上面の少なくとも一部を被覆する、少なくとも一部に液不透過性領域を有するサーフェスシートと、
前記吸収体の上部に、吸収体物品本体の長さ方向の前端部から前身頃、股下部及び後身頃を経て後端部にわたって配置される左右一対のフローティングレッグギャザーと
を具備する吸収体物品であって、
前記フローティングレッグギャザーが、頭部と前記頭部に連なる垂下部とを有し、
前記フローティングレッグギャザーの前端部及び後端部が、吸収体物品本体の前端部近傍及び後端部近傍にそれぞれ結合されて、前記垂下部が前記頭部から前記吸収体に向かって垂れ下がるように構成され、
前記左右一対のフローティングレッグギャザーの前記垂下部の下端の一部が、それぞれ前記サーフェスシートと結合され、体液の移動通路が形成されており、前記左右一対のフローティングレッグギャザーの前記垂下部の前記下端のうち前記一部以外が、それぞれ前記サーフェスシートと結合されておらず、フローティング状態となっている、吸収体物品。
（２）前記左右一対のフローティングレッグギャザーが、いずれも前記頭部が外側に、前記垂下部が内側に向くように配置され、
前記左右一対のフローティングレッグギャザーの前記垂下部が、互いに間隙をおいて対向して配置され、
前記左右一対のフローティングレッグギャザーの前記垂下部と前記サーフェスシートとの結合部の間にわたって前記サーフェスシートが存在している、上記（１）に記載の吸収体物品。
（３）前記左右一対のフローティングレッグギャザーが、いずれも前記頭部が内側に、前記垂下部が外側に向くように配置され、
前記左右一対のフローティングレッグギャザーの前記頭部が、互いに間隙をおいて対向して配置され、
前記左右一対のフローティングレッグギャザーの前記垂下部と前記サーフェスシートとの結合部の間にわたって前記サーフェスシートが存在している、上記（１）に記載の吸収体物品。
（４）前記サーフェスシートの左右方向の中央部が前記液不透過性領域であり、
前記サーフェスシートの前記液不透過性領域の左右両側が液透過性領域であり、
前記左右一対のフローティングレッグギャザーの前記垂下部が、それぞれ前記サーフェスシートの前記液不透過性領域の左右縁部付近と結合されている、上記（１）〜（３）のいずれかに記載の吸収体物品。
（５）前記サーフェスシートの左右方向の中央部が前記液不透過性領域であり、
前記サーフェスシートの前記液不透過性領域の左右両側が液透過性領域であり、
前記左右一対のフローティングレッグギャザーの前記垂下部が、それぞれ前記サーフェスシートの左右両側の前記液透過性領域と結合されている、上記（１）〜（３）のいずれかに記載の吸収体物品。
（６）前記防漏体が前記吸収体の左右縁部の外側から前記吸収体の上側表面上に折り返されて、前記吸収体をその中央部を除いて被覆する前記サーフェスシートを構成し、
前記左右一対のフローティングレッグギャザーの前記垂下部が、それぞれ前記サーフェスシートの前記吸収体の前記中央部から離れた部分で結合されている、上記（１）〜（３）のいずれかに記載の吸収体物品。
（７）更に、前記サーフェスシートの上側に存在するサポートシートを具備し、
前記サポートシートが、前記左右一対のフローティングレッグギャザーの前記垂下部と結合され、
前記垂下部と前記サポートシートとにより第２の体液の移動通路が形成されている、上記（１）〜（６）のいずれかに記載の吸収体物品。
（８）前記サポートシートが前記左右一対のフローティングレッグギャザーの前記垂下部と結合されている部分が、前記サーフェスシートが前記左右一対のフローティングレッグギャザーの前記垂下部と結合されている部分に含まれる、上記（７）に記載の吸収体物品。
（９）前記体液の移動通路が少なくとも股下部の領域に設けられている、上記（１）〜（８）のいずれかに記載の吸収体物品。
（１０）前記体液の移動通路が少なくとも前身頃の領域に設けられている、上記（１）〜（９）のいずれかに記載の吸収体物品。
（１１）前記体液の移動通路が少なくとも後身頃の領域に設けられている、上記（１）〜（１０）のいずれかに記載の吸収体物品。
【発明の効果】
【０００８】  本発明の吸収体物品は、着用時の拘束感が少なく、蒸れやかぶれの発生が抑制されている。
【図面の簡単な説明】
【０００９】
【図１】ＦＬＧの基本構造及びＦＬＧの垂下部とサーフェスシートとが結合されて形成される「体液の移動通路」の形成原理の模式的な説明図である。
【図２】本発明の吸収体物品の例を示す模式図である。
【図３】種々のサーフェスシートを有する本発明の吸収体物品の模式的な説明図である。
【図４】種々のサーフェスシートを有する本発明の吸収体物品の模式的な説明図である。
【図５】種々のサーフェスシートを有する本発明の吸収体物品の模式的な説明図である。
【図６】ＦＬＧの垂下部とサーフェスシートとの結合の種々の態様を示す模式的な横端面図である。
【図７】ＦＬＧの垂下部とサーフェスシートとの結合の種々の態様を示す模式的な横端面図である。
【図８】ＦＬＧの垂下部とサーフェスシートとの結合の種々の態様を示す模式的な横端面図である。
【図９】ＦＬＧの垂下部とサーフェスシートとサポートシートとの結合の種々の態様を示す模式的な横端面図である。
【図１０】種々のサポートシートの構造を示す模式的な平面図である。
【図１１】本発明の吸収体物品の実施例を示す模式図である。
【図１２】本発明の吸収体物品の別の実施例を示す模式図である。
【図１３】本発明の吸収体物品の更に別の実施例を示す模式図である。
【発明を実施するための形態】
【００１０】  以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。添付した図面中の各平面図においては、図の左側に吸収体物品等の前側が位置するように図示してある。  また、本明細書においては、「吸収体物品本体」とは、吸収体物品の構成部材である防漏体、防漏体上に設けることができるトップシート、その他吸収体物品に設けることができる各種部材を総称していうものである。これに従い、吸収体物品がおむつである場合は、吸収体物品本体をおむつ本体と呼ぶ。  さらに、本明細書においては、「吸収体の表面」とは、吸収体が露出している場合は、その表面を意味し、吸収体が拡散シート、アクイジションシート、サーフェスシート等で被覆されている場合は、被覆している拡散シート、アクイジションシート、サーフェスシート等の表面を意味する。
【００１１】  初めに、本発明の吸収体物品に用いられるＦＬＧ及びＦＬＧにより形成される体液の移動通路の基本的な原理について、説明する。  図１は、ＦＬＧの基本構造及びＦＬＧの垂下部とサーフェスシートとが結合されて形成される「体液の移動通路」の形成原理の模式的な説明図である。  図１（Ａ）は、ＦＬＧの基本構造を示す模式的な横端面図である。図１（Ａ）は、本発明の吸収体物品におけるＦＬＧ、吸収体及びサーフェスシートのみを図示してある。  図１（Ａ）は、左右一対のＦＬＧ１が相互に連結される前の状態を示している。左右一対のＦＬＧ１は、頭部２と頭部２に連なる垂下部３とを有している。ＦＬＧ１の前端部及び後端部は、吸収体物品本体の前端部近傍及び後端部近傍にそれぞれ結合されており（図示せず）、垂下部３が頭部２から吸収体４に向かって垂れ下がるように構成されている。このように、ＦＬＧ１は、左右一対の頭部２と頭部２から垂れ下がった垂下部３が、吸収体４の表面にあるサーフェスシート５から浮き上がった状態（フローティング状態）で存在している。これにより、本発明の吸収体物品は、ＦＬＧの頭部が着用者の身体に強く密着しているにもかかわらず、着用時の拘束感が少なくなっている。  さらに、吸収体４の上面には、上面の少なくとも一部を被覆する、少なくとも一部に液不透過性領域を有するサーフェスシート５が設けられている。
【００１２】  本発明においては、左右一対のＦＬＧの垂下部３が、それぞれサーフェスシート５と結合され、垂下部３とサーフェスシート５とにより体液の移動通路Ｐが形成される。  ＦＬＧの垂下部３とサーフェスシート５との結合の態様としては、例えば、（ａ）図１（Ｂ）及び図１（Ｃ）に示されるような、左右一対のＦＬＧ１が、いずれも頭部２が外側に、垂下部３が内側に向くように配置される態様（「内閉じ型」）と、（ｂ）図１（Ｄ）及び図１（Ｅ）に示されるような、左右一対のＦＬＧ１が、いずれも頭部２が内側に、垂下部３が外側に向くように配置される態様（「外開き型」）とが挙げられる。なお、図１（Ｂ）及び図１（Ｄ）は、いずれも本発明の吸収体物品の模式的な平面図であり、本発明の吸収体物品におけるＦＬＧ、吸収体及びサーフェスシートのみを図示してある。また、図１（Ｃ）及び図１（Ｅ）は、いずれも本発明の吸収体物品の模式的な横端面図であり、本発明の吸収体物品におけるＦＬＧ、吸収体及びサーフェスシートのみを図示してある。
【００１３】  まず、内閉じ型の態様（上記（ａ））について説明する。  内閉じ型の態様においては、図１（Ｂ）及び図１（Ｃ）に示されるように、サーフェスシート５上にＦＬＧ１の頭部２を外側に、垂下部３を内側にして、左右一対の垂下部３が互いに間隙をおいて対向して配置されている。  垂下部３の下端近傍とサーフェスシート５とは、前後方向の中央付近に設けられた前後方向に延在する結合部６において、結合している。これにより、左右一対の垂下部３により形成される左右両側面と、サーフェスシート５により形成される底面とから構成される体液の移動通路Ｐが形成されている。体液の移動通路Ｐの上部は、左右一対の頭部２間が離間しているため、開放されている。  左右一対の垂下部３とサーフェスシート５との結合は、前後方向に延在するＦＬＧの少なくとも一部で行われていればよく、この結合の部分において体液の移動通路Ｐが形成されることになる。左右一対の垂下部３とサーフェスシート５とを結合する方法は、特に限定されず、例えば、ホットメルト接着剤、熱シール接着剤等を用いて結合することができる。
【００１４】  内閉じ型の態様においては、サーフェスシート５上にＦＬＧ１の頭部２を外側に、垂下部３を内側にして、左右一対の垂下部３が互いに間隙をおいて対向して配置され、左右一対のＦＬＧ１の垂下部３とサーフェスシート５との結合部の間にわたってサーフェスシートが存在し、左右一対のＦＬＧ１の垂下部３が、それぞれサーフェスシート５と結合され、垂下部３とサーフェスシート５とにより体液の移動通路Ｐが形成されていれば、特に限定されず、種々のＦＬＧの存在状態を取ることができる。  すなわち、本発明の吸収体物品は、（１）ＦＬＧの垂下部がサーフェスシートと連結されておらず、フローティング状態で存在する態様（図１（Ａ）参照）、及び、（２）左右一対の垂下部がサーフェスシートと連結されて体液の移動通路を形成する態様（図１（Ｂ）及び図１（Ｃ）参照）のうち、（２）のみを有していてもよく、（１）及び（２）の両者を有していてもよい。中でも、（１）及び（２）の両者を有しているのが好ましい。  図１（Ｂ）に示される態様においては、股下部Ｃに（２）の態様のＦＬＧが存在し、前身頃Ｆ及び後身頃Ｒに（１）の態様のＦＬＧが存在している。
【００１５】  つぎに、外開き型の態様（上記（ｂ））について説明する。  外開き型の態様においては、図１（Ｄ）及び図１（Ｅ）に示されるように、サーフェスシート５上にＦＬＧ１の頭部２を内側に、垂下部３を外側にして、左右一対の頭部２が互いに間隙をおいて対向して配置されている。  垂下部３の下端近傍とサーフェスシート５とは、前後方向の中央付近に設けられた前後方向に延在する結合部６’において、結合している。これにより、左右一対の垂下部３により形成される左右両側面と、サーフェスシート５により形成される底面とから構成される体液の移動通路Ｐが形成されている。体液の移動通路Ｐの上部は、左右一対の頭部２間が離間しているため、開放されている。  左右一対の垂下部３とサーフェスシート５との結合は、前後方向に延在するＦＬＧの少なくとも一部で行われていればよく、この結合の部分において体液の移動通路Ｐが形成されることになる。左右一対の垂下部３とサーフェスシート５とを結合する方法は、特に限定されず、例えば、ホットメルト接着剤、熱シール接着剤等を用いて結合することができる。
【００１６】  外開き型の態様においては、サーフェスシート５上にＦＬＧ１の頭部２を内側に、垂下部３を外側にして、左右一対の頭部２が互いに間隙をおいて対向して配置され、左右一対のＦＬＧ１の垂下部３とサーフェスシート５との結合部の間にわたってサーフェスシートが存在し、左右一対のＦＬＧ１の垂下部３が、それぞれサーフェスシート５と結合され、垂下部３とサーフェスシート５とにより体液の移動通路Ｐが形成されていれば、特に限定されず、種々のＦＬＧの存在状態を取ることができる。  すなわち、本発明の吸収体物品は、（１）ＦＬＧの垂下部がサーフェスシートと連結されておらず、フローティング状態で存在する態様（図１（Ａ）参照）、及び、（３）左右一対の垂下部がサーフェスシートと連結されて体液の移動通路を形成する態様（図１（Ｄ）及び図１（Ｅ）参照）のうち、（３）のみを有していてもよく、（１）及び（３）の両者を有していてもよい。中でも、（１）及び（３）の両者を有しているのが好ましい。  図１（Ｄ）に示される態様においては、股下部Ｃに（３）の態様のＦＬＧが存在し、前身頃Ｆ及び後身頃Ｒに（１）の態様のＦＬＧが存在している。
【００１７】  本発明においては、このＦＬＧの存在状態を前後方向のどの位置に設けるか、２種の態様を組み合わせる場合にはどのように組み合わせるかが、吸収体物品の設計上重要なポイントとなる。  体液の移動通路が、少なくとも股下部の領域に設けられていると、体液の移動通路が尿の排出器（尿道口）の直下に位置することになるので、尿の収容が容易になる。  体液の移動通路が、少なくとも前身頃の領域に設けられていると、尿を前方から後方に移動させる通路として利用できる。  体液の移動通路が、少なくとも後身頃の領域に設けられていると、体液の移動通路が便の排出器（肛門）に近接した場所に位置することになるので、便の収容が容易になる。  体液の移動通路が、前身頃、股下部及び後身頃の各領域にわたって連続的に設けられていると、上記の各利点を同時に得ることができる。
【００１８】  上記（ａ）の内閉じ型の態様と上記（ｂ）の外開き型の態様とでは、体液の移動通路Ｐの断面形状に差異がある。  すなわち、例えば、垂下部の頭部との連結部からサーフェスシートとの結合部までの長さが同じであれば、内閉じ型の態様における体液の移動通路Ｐは、底面の左右方向の幅が狭く、左右両側面が高い、狭くて深い通路となり、他方、外開き型の態様における体液の移動通路Ｐは、底面の左右方向の幅が広く、左右両側面が低い、広くて浅い通路となる。
【００１９】  図２は、本発明の吸収体物品の例を示す模式図である。図２（Ａ）は、展開平面図であり、図２（Ｂ）は、図２（Ａ）中のＩＩＢ−ＩＩＢ線に沿った横端面図である。図２は、吸収体物品に応力を加えて前後方向及び左右方向に引っ張って展開し、ほぼ平面状にした状態を模式的に示している。  図２に示される本発明の吸収体物品１００は、テープ型おむつとして構成されており、基本的に、シート状の防漏体１０と、防漏体１０の上部に少なくとも一層配置された、体液を吸収しうる吸収体１２と、吸収体１２の上面の全部を被覆する、一部に液不透過性領域Ｎａを有するサーフェスシート１４と、吸収体１２の上部に、吸収体物品本体の長さ方向の前端部から前身頃Ｆ、股下部Ｃ及び後身頃Ｒを経て後端部にわたって配置される左右一対のＦＬＧ１６とを具備する。
【００２０】  防漏体１０の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。  また、前記樹脂のフィルムを用いる場合には、感触や外観を向上させるために、フィルムと不織布との複層シートとして用いることもできる。この場合、不織布としては、比較的低目付のＳＢ、サーマルボンド不織布（例えば、エアスルータイプ）等が好適に用いられる。  また、前記樹脂のフィルムと後述するシート状吸収体との複層シートを用いることもできる。  また、高耐水性不織布を用いることもできる。高耐水性不織布としては、例えば、耐水度１００ｍｍＨ2Ｏ以上の耐水性を有するＳＭＳ、不織布ウェブの細孔をミクロフィブリル化セルロース（ＭＦＣ）やワックスで充填することにより耐水性を付与されたＳＭＳが挙げられる。この場合、単独で用いてもよく、フィルムと高耐水性不織布との複層シートとして用いることもできる。
【００２１】  防漏体１０は、複数の部材から構成されていてもよい。
【００２２】  防漏体１０は、シート状であり、吸収体１２等を上部に収納し、かつ、ＦＬＧ１６を配置し得るものであれば、その形状を特に限定されない。
【００２３】  本発明に用いられる吸収体１２は、体液を吸収しうるものであれば特に限定されず、従来公知の吸収体物品に用いられる吸収体を用いることができる。例えば、粉砕された木材パルプ、粉砕された木材パルプと粒状又は粉体状のＳＡＰとを混合しマット状に成形した吸収体、薄いシート状に成形されたＳＡＰを主成分とするシート状吸収体等を用いることができる。これらの吸収体は、その形状を保持し、同時にパルプやＳＡＰから発生する微粉の発生や脱落を防ぐため、ティッシュペーパー、不織布、開孔フィルム等からなるコアラッピング材で被覆されているのが一般的である。本明細書においては、コアラッピング材が用いられている場合には、コアラッピング材も含めて「吸収体」と呼ぶ。
【００２４】  シート状吸収体は、形態安定性、ＳＡＰの脱落防止等の可能性等に優れる。  シート状吸収体の中でも、ＳＡＰを５０質量％以上、好ましくは６０質量％以上、より好ましくは７０質量％以上含有する高吸水性シートであるのが好ましい。また、高吸水性シートにおけるＳＡＰの含有量は、高吸水性シートの安定性等の点で、９５質量％以下であるのが好ましい。
【００２５】  高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。  高吸水性シートは、ＳＡＰを主成分とする極薄のシート状吸収体であれば、構成や製造方法を特に限定されない。  例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰ等が知られている。  また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。  そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００２６】  吸収体１２は、防漏体１０の上部に、少なくとも１層配置される。すなわち、吸収体１２は、１層であってもよく、２層以上（複数層）であってもよい。  また、吸収体１２は、折りたたんだ状態で配置することもできる。
【００２７】  本発明の吸収体物品１００は、吸収体１２の上面の全部を被覆する、一部に液不透過性領域Ｎａを有するサーフェスシート１４を具備する。  サーフェスシート１４は、開口フィルム１４’と、前身頃Ｆから股下部Ｃにかけて、左右方向の中央部において、開口フィルム１４’の下側に結合するシールフィルム１４”とにより構成されている。開口フィルム１４’は、複数の開口を有し、当該開口を通じて液を透過させることができるフィルムである。例えば、全面に液透過性の漏斗状の開口を有するＰＥ製の開口フィルム（例えば、ＴＲＥＤＥＧＡＲ社製）を用いることができる。  シールフィルム１４”は、液不透過性フィルムであり、例えば、ＰＰ、ＰＥＴ、合成ゴム、ポリウレタンを用いて構成される。  サーフェスシート１４は、開口フィルム１４’の下側にシールフィルム１４”が結合されており、シールフィルム１４”が存在する部分は液不透過性領域Ｎａであり、シールフィルム１４”が存在しない部分は液透過性領域Ｐａである。  本発明においては、サーフェスシートは、少なくとも一部に液不透過性領域を有するものであればよい。すなわち、サーフェスシートは、一部のみに液不透過性領域を有するものであってもよく、全部に液不透過性領域を有するものであってもよい。
【００２８】  サーフェスシート１４は、吸収体１２の上面の全部を被覆し、更に、吸収体１２の左右両端、前端及び後端の全面を被覆している。  本発明においては、サーフェスシートは、吸収体の上面の少なくとも一部を被覆していればよい。すなわち、サーフェスシートは、吸収体の上面の一部のみを被覆していてもよく、吸収体の上面の全部を被覆していてもよい。また、サーフェスシートは、吸収体の上面のみならず、防漏体の上面の一部又は全部を被覆していてもよい。
【００２９】  左右一対のＦＬＧ１６は、吸収体１２の上部に、吸収体物品本体の長さ方向の前端部から前身頃Ｆ、股下部Ｃ及び後身頃Ｒを経て後端部にわたって配置される。ＦＬＧは、防漏体に結合して設けられてもよく、防漏体上に設けられたサーフェスシートやその他の部材に結合して設けられてもよく、複数の部材にわたって結合して設けられてもよい。
【００３０】  ＦＬＧ１６は、伸縮性部材（例えば、図２中、波線で表されている並列した２本のポリウレタンフィラメント）を有して構成されている頭部１８と、頭部１８に連なる垂下部２０とを有し、頭部１８の前端部及び後端部（図２中、ポリウレタンフィラメントの存在しない部分）が、吸収体物品本体の前端部近傍及び後端部近傍にそれぞれ結合されて（前端結合部２２及び後端結合部２４が図２中に示されている。）、垂下部２０が頭部１８から吸収体１２に向かって垂れ下がるように構成されている。結合の方法は、特に限定されず、例えば、接着剤により結合する方法が挙げられる。
【００３１】  垂下部２０は、頭部１８からカーテン状に垂れ下がっており、従来のＩＬＧのように吸収体の表面（又は吸収体を被覆するトップシート）に結合し固定され支えられて立ち上がるのではなく、基本的に、吸収体１２の表面にあたるサーフェスシート１４から浮き上がっている。この新規なＦＬＧ１６は、このように浮き上がっている構造を有するため、本明細書においては、フローティングレッグギャザー（Ｆｌｏａｔｉｎｇ  Ｌｅｇ  Ｇａｔｈｅｒ（ｓ）：ＦＬＧ）と呼んでいる。このように浮き上がっている構造とするためには、例えば、ＦＬＧ１６における前端結合部２２と後端結合部２４との間の長さを、防漏体１０における前端結合部２２と後端結合部２４との間の長さより短くすることにより実現することができる。
【００３２】  左右一対のＦＬＧ１６の垂下部２０の一部は、それぞれサーフェスシート１４と結合され、体液の移動通路Ｐが形成されている。  より具体的には、左右一対のＦＬＧ１６は、いずれも頭部１８が外側に、垂下部２０が内側に向くように配置され、左右一対のＦＬＧ１６の垂下部２０が、互いに間隙をおいて対向して配置され、左右一対のＦＬＧ１６の垂下部２０とサーフェスシート１４との結合部２６の間にわたってサーフェスシート１４が存在している。  また、サーフェスシート１４の左右方向の中央部は液不透過性領域Ｎａであり、サーフェスシート１４の液不透過性領域Ｎａの左右両側が液透過性領域Ｐａであり、左右一対のＦＬＧ１６の垂下部２０が、それぞれサーフェスシート１４の液不透過性領域Ｎａの左右縁部付近と、前後方向に延在する結合部２６で結合されている。
【００３３】  ＦＬＧ１６は、サーフェスシート１４と結合している部分以外は、前端部から後端部にわたって吸収体１２の表面にあたるサーフェスシート１４に固定されておらず、吸収体１２の表面にあたるサーフェスシート１４から離間している。すなわち、ＦＬＧ１６は、フローティング状態で存在している。
【００３４】  吸収体物品１００においては、ＦＬＧ１６が上述したような構成を採るため、前身頃Ｆから股下部Ｃにかけての領域において、左右一対の垂下部２０とサーフェスシート１４とによりそれらの各内面が左右の側面と底面とを構成して体液の移動通路Ｐが形成されている。体液の移動通路Ｐの上部は、左右一対の頭部１８間が離間しているため、開放されている。  左右一対のＦＬＧ１６のサーフェスシート１４と結合している部分以外は、着用時には、図１（Ａ）に示されるような態様となる。
【００３５】  ＦＬＧ１６の頭部１８は、着用時においては、着用者の肌に接触している。
【００３６】  本発明においては、上記構成に限定されず、例えば、従来公知の各種部材を具備することができる。  吸収体物品１００は、上記の各部材に加え、以下に説明する各種部材を具備する。
【００３７】  防漏体１０の後端付近の左右両側には、着脱部材２８が設けられている。防漏体１０の前端付近の下面には、着脱部材と互いに着脱自在となるように、着脱部材（図示せず）が設けられている。これらの着脱部材は、例えば、各種面ファスナーにより構成することができる。具体的には、防漏体１０の後端付近の左右両側に設けられる着脱部材２８として、ベルクロテープ（雄）、防漏体１０の前端付近の下面に設けられる着脱部材として、ＴＬＺ（雌）を用いることができる。
【００３８】  また、吸収体物品１００は、２種類のレッグギャザーを具備する。すなわち、上述したＦＬＧ１６の他に、吸収体物品本体の側縁部に存在するＯＬＧ３０を具備する。ＯＬＧ３０は、並列した３本のポリウレタンフィラメント（伸縮性部材）が、防漏体１０とサーフェスシート１４との間に配置されることにより形成されている。
【００３９】  本発明の吸収体物品１００においては、ＦＬＧ１６がフローティング状態で存在しているため、着用時の拘束感が少なくなっている。  また、蒸れやかぶれの発生が抑制されている。
【００４０】  本発明の吸収体物品１００においては、排出された尿や便と着用者の肌との接触は、ＦＬＧ１６の頭部１８及び垂下部２０の存在が着用者の肌と吸収体の表面とが接触することの物理的な障害となるため、従来のおむつに比べて大幅に抑制される。  したがって、従来の吸収体物品においては、着用者の肌に接触するトップシートについて、リウェット性、ドライ性、肌への摩擦低減等が重要であったのであるが、本発明の吸収体物品においては、これらを考慮する必要性がなくなる。  よって、本発明の吸収体物品に用いられるサーフェスシートとしては、水分の拡散性や浸透性に優れる親水性材料（例えば、セルロース系材料）であってもよく、ＰＥ製の開口フィルムのように液の分配機能のみに優れる材料であってもよい。  また、従来の吸収体物品においては、トップシートの機能を増強すべく配置されていた、体液の一時的な貯留層であるアクイジション層（ＡＱＬ）や体液の拡散促進のための拡散層（トランスファー層）等の使用の必要性もなくなるため、大幅な原材料コストの抑制が可能となる。
【００４１】  つぎに、本発明の吸収体物品に用いられるサーフェスシートについて説明する。  図３〜図５は、いずれも種々のサーフェスシートを有する本発明の吸収体物品の模式的な説明図である。図３〜図５においては、防漏体、吸収体及びサーフェスシート以外の部材は省略してある。  図３は、種々のサーフェスシートを有する本発明の吸収体物品の模式的な横端面図である。図３に示されるサーフェスシートは、いずれも左右方向の中央部が液不透過性領域であり、サーフェスシートの前記液不透過性領域の左右両側が液透過性領域である。このタイプのサーフェスシートは、従来型のＳＡＰ／パルプ混合層からなるＳＡＰの含有量が５０％未満であるいわゆる薄型吸収体との組合せで用いられるのが好ましい。
【００４２】  図３（Ａ）に示される吸収体物品１００ａは、左右方向の中央部に存在する液不透過性シート１４ａ’と、その左右両側に存在する液透過性シート１４ａ”とにより構成される、サーフェスシート１４ａを有している。  液不透過性シート１４ａ’と液透過性シート１４ａ”とは、一体となっており、例えば、疎水性かつ耐水性の不織布（例えば、目付量１５ｇ／ｍ2程度のＰＰ製ＳＭＳ（例えば、ＡＶＧＯＬ社製））を、中央部は耐水性を活かしてそのままとし、左右両側部は界面活性剤で処理して液透過性を付与したものを用いることができる。不織布を構成する材料は、特に限定されず、例えば、ＰＥ製、ＰＥＴ製の不織布が挙げられる。また、例えば、親水性の不織布を、中央部は撥水剤で処理して液不透過性とし、左右両側部は親水性を活かしてそのままとしたものを用いることができる。
【００４３】  図３（Ｂ）に示される吸収体物品１００ｂは、左右方向の中央部に存在する液不透過性シート１４ｂ’と、その左右両側に存在する液透過性シート１４ｂ”とにより構成される、サーフェスシート１４ｂを有している。  サーフェスシート１４ｂは、液不透過性フィルムによって構成されており、液透過性シート１４ｂ”の部分においては開口が設けられて液透過性となっている。液不透過性フィルムは、特に限定されず、例えば、ＰＥ製、ＰＥＴ製、合成ゴム製、ポリウレタン製のものを用いることができる。液透過性フィルムは、表面が平滑であってもよく、凹凸を有していてもよい。  サーフェスシート１４ｂの好適な態様の一つとして、例えば、表面に凹凸を有する液不透過性フィルムの液透過性シート１４ｂ”の部分において、凹凸の頂点付近のフィルムを除去して漏斗状の開口を設けて液透過性としたものが挙げられる。
【００４４】  図３（Ｃ）に示される吸収体物品１００ｃは、開口フィルム１４ｃ’とその下側において左右方向の中央部に存在するシールフィルム１４ｃ”とにより構成される、サーフェスシート１４ｃを有している。開口フィルム１４ｃ’は、複数の開口を有し、当該開口を通じて液を透過させることができるフィルムである。例えば、全面に液透過性の漏斗状の開口を有するＰＥ製の開口フィルム（例えば、ＴＲＥＤＥＧＡＲ社製）を用いることができる。シールフィルム１４ｃ”は、液不透過性フィルムであり、例えば、ＰＰ、ＰＥＴ、合成ゴム、ポリウレタンを用いて構成される。
【００４５】  図３（Ｄ）に示される吸収体物品１００ｄは、左右方向の中央部に存在する液不透過性シート１４ｄ’と、その左右両側に存在する液透過性シート１４ｄ”とにより構成される、サーフェスシート１４ｄを有している。  吸収体物品１００ｄは、基本的に、図３（Ａ）に示される吸収体物品１００ａと同様であるが、サーフェスシート１４ｄの形状（特に、左右方向の中央部における形状）が異なる。具体的には、サーフェスシート１４ｄは、液透過性シート１４ｄ’の部分が左側で折り込まれて、広がった場合における左右方向の長さが長くなるようにされている。  この態様においては、ＦＬＧの垂下部（図示せず）とサーフェスシート１４ｄとにより形成される体液の移動通路の底面積が広くなる。これにより、体液の移動通路の断面積が大きくなり、体液を受容し、一次的に貯留する容量を大きくすることができる。
【００４６】  図３（Ｅ）に示される吸収体物品１００ｅは、左右方向の中央部に存在する液不透過性シート１４ｅ’と、その左右両側に存在する液透過性シート１４ｅ”とにより構成される、サーフェスシート１４ｅを有している。  吸収体物品１００ｅは、基本的に、図３（Ａ）に示される吸収体物品１００ａと同様であるが、サーフェスシート１４ｅの形状（特に、左右方向の中央部における形状）が異なる。具体的には、サーフェスシート１４ｅは、液透過性シート１４ｅ’の部分が左右両側で折り込まれて、体液の移動通路の底面の位置が上下に伸びるようにされている。  この態様においては、ＦＬＧの垂下部（図示せず）とサーフェスシート１４ｄとにより形成される体液の移動通路の底面が上に浮きやすくなる。これにより、吸収体物品１００ｅは、吸収体物品１００ａ〜１００ｄに比べて、肌と吸収体との離間状態をより保ちやすくなり、着用時の拘束感がより少なくなる。
【００４７】  図３（Ｆ）に示される吸収体物品１００ｆは、左右両側から中央部にかけて吸収体１２ａを被覆する２枚の液透過性シート１４ｆ’と、その重なり部において両者を結合する接着部１４ｆ”とにより構成される、サーフェスシート１４ｆを有している。  液透過性シート１４ｆ’は、特に限定されず、例えば、液透過性不織布を用いることができる。液透過性不織布としては、例えば、親水化処理を施した不織布が挙げられる。親水化処理を施される不織布としては、例えば、ＰＥ／ＰＰ製のＳＢ不織布が挙げられる。  接着部１４ｆ”は、シール材、耐水性の接着剤（例えば、ホットメルト接着剤）等により形成され、液不透過性となっている。
【００４８】  図４は、種々のサーフェスシートを有する本発明の吸収体物品の模式的な横端面図である。図４に示されるサーフェスシートは、いずれも防漏体（バックシート）が吸収体の左右縁部の外側から吸収体の上側表面上に折り返されて、吸収体をその中央部を除いて被覆するものであり、左右方向の中央部が液透過性領域であり、サーフェスシートの液透過性領域の左右両側が液不透過性領域である。このタイプのサーフェスシートは、従来型のＳＡＰ／パルプ混合層からなるＳＡＰの含有量が５０％以上であるいわゆる超薄型吸収体との組合せで用いられるのが好ましい。吸収体において、ＳＡＰの含有量が大きくなってくると吸収容量は増大するが、吸収速度が遅くなり、ブロッキングを起こしやすくなる。したがって、排出された体液をできるだけ速く吸収体の全体に分配する必要があるところ、このタイプのサーフェスシートは、体液の分配速度が速いので、超薄型吸収体との組合せで用いられるのが好ましい。
【００４９】  図４（Ａ）に示される吸収体物品１００ｇは、防漏体１０ｂが吸収体１２ｂの左右縁部の外側から吸収体１２ｂの上側表面をサーフェスシート１４ｇとして、吸収体１２ｂをその中央部を除いて被覆している。  防漏体１０ｂは、防漏性を有するものであれば、特に限定されず、フィルム単体でもよく、不織布の加工品であってもよい。中でも、ＰＥ／ＰＰ製のＳＢ不織布（例えば、目付量１２ｇ／ｍ2程度（例えば、チッソ社製））と通気性のＰＥフィルム（例えば、目付量１７ｇ／ｍ2程度（例えば、トクヤマ社製））との複合シートが好適に用いられる。  左右両側のサーフェスシート１４ｇの縁部の間隙は、５０ｍｍ程度であるのが好ましい態様の一つである。  この場合、複合シートの配置は、特に限定されないが、ＰＥフィルム側を吸収体１２ｂに接する内側（サーフェスシート１４ｇの部分においては下側）に、ＳＢ不織布を着用者の肌に接する可能性のある上側（サーフェスシート１４ｇの部分においては上側）に配置するのが好ましい。
【００５０】  図４（Ｂ）に示される吸収体物品１００ｈは、防漏体１０ｂが吸収体１２ｂの左右縁部の外側から吸収体１２ｂの上側表面を被覆し、更に外側に折り返されており、吸収体１２ｂの上側表面を被覆する部分及び折り返された部分はサーフェスシート１４ｈを構成し、吸収体１２ｂをその中央部を除いて被覆している。  これにより、このサーフェスシートと垂下部との結合により形成される体液の移動通路の断面積が大きくなるため、体液を受容し、一次的に貯留する容量を大きくすることができる。
【００５１】  図４（Ｃ）に示される吸収体物品１００ｉは、防漏体１０ｂが吸収体１２ｂの左右縁部の外側から吸収体１２ｂの上側表面を被覆し、更に外側に折り返され、更にまた内側に折り返されており、吸収体１２ｂの上側表面を被覆する部分、外側に折り返された部分及び内側に折り返された部分はサーフェスシート１４ｉを構成し、吸収体１２ｂをその中央部を除いて被覆している。  これにより、このサーフェスシートと垂下部との結合により形成される体液の移動通路の断面積が更に大きくなるため、体液を受容し、一次的に貯留する容量を更に大きくすることができる。
【００５２】  なお、図４に示される各吸収体物品においては、吸収体の上側の表面の左右方向の中央部がサーフェスシートによって被覆されていないため、吸収体の形状を保持し、また、粉塵の発生やＳＡＰの脱落を防止するため、吸収体がコアラッピングシートにより被覆されているのが好ましい。
【００５３】  図５は、種々のサーフェスシートを有する本発明の吸収体物品の模式図である。図５に示されるサーフェスシートは、シート状吸収体と一体化されたシート状の防漏体を、中央部に隙間を残して折り畳んだものであり、左右方向の中央部が液透過性領域であり、サーフェスシートの液透過性領域の左右両側が液不透過性領域である。  これらのサーフェスシートにおいて用いられるシート状吸収体としては、例えば、本発明者らが提案した特開２００８−１３６５８３号公報に示される、液体成分の吸収能を有するＳＡＰ担持層（例えば、ＳＡＰを担持する不織布層）と、ＳＡＰ担持層上に積層された、親水性を有する吸収拡散層（例えば、ティッシュ）と、吸収拡散層上に積層された、耐水性を有する疎水性表面層（例えば、耐水性ＳＭＳ不織布層、耐水性ＳＢ不織布層等の耐水性不織布層）とを有し、これらが一体化されている高吸水性複合シートが挙げられる。この高吸水性複合シートは、木材パルプを使用せずに構成することができる。  このシート状吸収体は、木材パルプを使用していないため、ＳＡＰの含有量が極めて高く、吸収速度が遅いため、ブロッキングを起こしやすくなる。したがって、排出された体液をできるだけ速く吸収体の全体に分配する必要があるところ、このタイプのサーフェスシートは、体液の分配速度が速いので、このシート状吸収体との組合せで用いられるのが好ましい。
【００５４】  図５（Ａ）は、本発明の吸収体物品の模式的な横端面図である。  図５（Ａ）に示される吸収体物品１００ｊは、防漏体１０ｃが、その上にストライプ状に形成された吸収体１２ｃを内側に包むかたちで左右両側で内側に折り返され、折り返された部分はサーフェスシート１４ｊとして、吸収体１２ｃをその中央部を除いて被覆している。  図５（Ｂ）は、サーフェスシート１４ｊ及び吸収体１２ｃの構成材料の模式的な横端面図である。  図５（Ｂ）に示されるように、ＳＡＰ担持層を構成するストライプ状に形成されたＳＡＰを担持している不織布１２ｃ’と、ＳＡＰ担持層の下側に積層された、親水性を有する吸収拡散層を構成するティッシュ１１”と、吸収拡散層の下側に積層された、耐水性を有する疎水性表面層を構成する耐水性不織布層１１’とを有し、これらが一体化されている高吸水性複合シート１１のＳＡＰ担持層の上側に、コアラッピングシート１２ｃ”を積層する。  この高吸水性複合シート１１とコアラッピングシート１２ｃ”とを、コアラッピングシート１２ｃ”が内側になるように左右両側で折り返すと、図５（Ａ）に示されるサーフェスシート１４ｊ及び吸収体１２ｃのような形状となる。すなわち、高吸水性複合シート１１の耐水性不織布層１１’及びティッシュ１１”が、下側においては防漏体１０ｃとなり、上側においてはサーフェスシート１４ｊとなる。また、高吸水性複合シート１１のＳＡＰを担持している不織布１２ｃ’とコアラッピングシート１２ｃ”とが吸収体１２ｃとなる。
【００５５】  図５（Ｃ）は、本発明の吸収体物品の模式的な横端面図である。  図５（Ｃ）に示される吸収体物品１００ｋは、防漏体１０ｄが、その上にストライプ状に形成された吸収体１２ｄを内側に包むかたちで左右両側で内側に折り返され、更に外側に折り返されており、内側に折り返された部分及び外側に折り返された部分はサーフェスシート１４ｋを構成し、吸収体１２ｄをその中央部を除いて被覆している。  図５（Ｄ）は、サーフェスシート１４ｋ及び吸収体１２ｄの構成材料の模式的な横端面図である。  図５（Ｄ）に示されるように、ＳＡＰ担持層を構成するストライプ状に形成されたＳＡＰを担持している不織布１２ｄ’と、ＳＡＰ担持層の下側に積層された、親水性を有する吸収拡散層を構成するティッシュ１１ａ”と、吸収拡散層の下側に積層された、耐水性を有する疎水性表面層を構成する耐水性不織布層１１ａ’とを有し、これらが一体化されている高吸水性複合シート１１ａのＳＡＰ担持層の上側に、コアラッピングシート１２ｄ”を積層する。なお、ＳＡＰを担持している不織布１２ｄ’は、高吸水性複合シート１１ａの左右方向の縁部付近には形成されていない。  この高吸水性複合シート１１ａの代わりに、図５（Ｂ）に示される高吸水性複合シート１１と同様に、ＳＡＰを担持している不織布が高吸水性複合シートの左右方向の縁部まで形成されている高吸水性複合シートと、その下側に左右方向の幅がその高吸水性複合シートより広い防漏性シートを１層接合した、高吸水性複合シート１１ａと類似した構造を持つ構造の複合シートを用いることもできる。  この高吸水性複合シート１１ａとコアラッピングシート１２ｄ”とを、コアラッピングシート１２ｄ”が内側になるように左右両側で折り返し、さらに、外側に折り返すと、図５（Ｃ）に示されるサーフェスシート１４ｋ及び吸収体１２ｄが得られる。すなわち、高吸水性複合シート１１ａの耐水性不織布層１１ａ’及びティッシュ１１ａ”が、下側においては防漏体１０ｄとなり、上側においてはサーフェスシート１４ｋとなる。また、高吸水性複合シート１１ａのＳＡＰを担持している不織布１２ｄ’とコアラッピングシート１２ｄ”とが吸収体１２ｄとなる。なお、サーフェスシート１４ｋとなっている部分は、図５（Ｄ）の高吸水性複合シート１１ａの左右両縁の吸収体１２ｄが存在しない部分に相当する。
【００５６】  図６〜図８は、いずれもＦＬＧの垂下部とサーフェスシートとの結合の種々の態様を示す模式的な横端面図である。  図６は、左右方向の中央部が液不透過性領域であり、液不透過性領域の左右両側が液透過性領域であるサーフェスシートを有する吸収体物品における、ＦＬＧの垂下部とサーフェスシートとの結合の態様を示している。  図６（Ａ）においては、左右一対のＦＬＧ１６ａが、いずれも頭部１８ａが外側に、垂下部２０ａが内側に向くように配置され、左右一対のＦＬＧ１６ａの垂下部２０ａが、互いに間隙をおいて対向して配置され、内閉じ型の態様となっている。  垂下部２０ａの下端付近の外側部は、結合部２６ａで、図３（Ｃ）に示されるサーフェスシート１４ｃと結合している。左右一対のＦＬＧ１６ａの垂下部２０ａとサーフェスシート１４ｃとの結合部２６ａの間にわたって（かつ、吸収体物品本体の左右縁端にわたって）サーフェスシート１４ｃが存在している。結合部２６ａは、サーフェスシート１４ｃの開口フィルム１４ｃ’の下側の液不透過性領域を構成するシールフィルム１４ｃ”の存在する位置の左右縁部付近に設けられている。  これにより、左右一対の垂下部２０ａにより形成される側面と、サーフェスシート１４ｃの液不透過性領域により形成される底面とにより構成される、左右方向の幅が狭く、左右両側面が高い、狭くて深い体液の移動通路Ｐが形成される。
【００５７】  本発明においては、サーフェスシートの左右方向の中央部が液不透過性領域であり、サーフェスシートの液不透過性領域の左右両側が液透過性領域である場合において、左右一対のＦＬＧの垂下部が、それぞれサーフェスシートの左右両側の液透過性領域と結合されている態様とすることもできる。
【００５８】  図６（Ｂ）においては、左右一対のＦＬＧ１６ｂが、いずれも頭部１８ｂが内側に、垂下部２０ｂが外側に向くように配置され、左右一対のＦＬＧ１６ｂの頭部１８ｂが、互いに間隙をおいて対向して配置され、外開き型の態様となっている。  垂下部２０ｂの下端付近の内側部は、結合部２６ｂで、サーフェスシート１４ｌと結合している。左右一対のＦＬＧ１６ｂの垂下部２０ｂとサーフェスシート１４ｌとの結合部２６ｂの間にわたって（かつ、吸収体物品本体の左右縁端にわたって）サーフェスシート１４ｌが存在している。サーフェスシート１４ｌは、サーフェスシート１４ｃと基本的に同様であるが、開口フィルム１４ｌ’の下側に存在するシールフィルム１４ｌ”の左右方向の幅が広くなっている。結合部２６ｂは、サーフェスシート１４ｌの開口フィルム１４ｌ’の下側の液不透過性領域を構成するシールフィルム１４ｌ”の存在する位置の左右縁部付近に設けられている。  これにより、左右一対の垂下部２０ｂにより形成される側面と、サーフェスシート１４ｌの液不透過性領域により形成される底面とにより構成される、左右方向の幅が広く、左右両側面が低い、広くて浅い体液の移動通路Ｐが形成される。
【００５９】  図７は、防漏体が吸収体の左右縁部の外側から吸収体の上側表面上に折り返されて、吸収体をその中央部を除いて被覆する、図４（Ａ）及び図４（Ｂ）に示した各サーフェスシート（防漏体と一体化した中央部開口を形成するサーフェスシート）を有する吸収体物品における、ＦＬＧの垂下部とサーフェスシートとの結合の態様を示している。この態様においては、体液の移動通路の底面が左右両側の防漏性のサーフェスシートと、その間に存在する液透過部とを併有している。排出された体液は、サーフェスシートの表面を移動しつつ、液透過部から吸収体に吸収されるようになっている。  図７（Ａ）においては、左右一対のＦＬＧ１６ｃが、いずれも頭部１８ｃが内側に、垂下部２０ｃが外側に向くように配置され、左右一対のＦＬＧ１６ｃの頭部１８ｃが、互いに間隙をおいて対向して配置され、外開き型の態様となっている。  防漏体１０ｂは吸収体１２ｂの左右縁部の外側から吸収体１２ｂの上側表面上に折り返されて、吸収体１２ｂをその中央部を除いて被覆する、図４（Ａ）に示されるサーフェスシート１４ｇを構成している。  垂下部２０ｃの下端付近の内側部は、結合部２６ｃで、サーフェスシート１４ｇと結合している。左右一対のＦＬＧ１６ｃの垂下部２０ｃは、それぞれサーフェスシート１４ｇの吸収体１２ｂの中央部から離れた部分で結合されている。このサーフェスシート１４ｇの中央部の縁部と結合部２６ｂとの間の部分が、体液の前後方向への移動に利用される。  これにより、左右一対の垂下部２０ｃにより形成される側面と、左右両側のサーフェスシート１４ｇの液不透過性領域及びその間に存在する液透過部とにより形成される底面とにより構成される、左右方向の幅が広く、左右両側面が低い、広くて浅い体液の移動通路Ｐが形成される。  排出された体液は、体液の移動通路Ｐにおいて、サーフェスシート１４ｇの表面を移動しつつ、液透過部から吸収体１２ｂに吸収されるようになっている。
【００６０】  図７（Ｂ）においては、左右一対のＦＬＧ１６ｄが、いずれも頭部１８ｄが外側に、垂下部２０ｄが内側に向くように配置され、左右一対のＦＬＧ１６ｄの垂下部２０ｄが、互いに間隙をおいて対向して配置され、内閉じ型の態様となっている。  防漏体１０ｂは吸収体１２ｂの左右縁部の外側から吸収体１２ｂの上側表面上に折り返されて、吸収体１２ｂをその中央部を除いて被覆し、さらに、外側に折り返され、吸収体１２ｂの被覆部分及び折り返し部分が、図４（Ｂ）に示されるサーフェスシート１４ｈを構成している。  垂下部２０ｄの下端付近の外側部は、結合部２６ｄで、サーフェスシート１４ｈと結合している。左右一対のＦＬＧ１６ｄの垂下部２０ｄは、それぞれサーフェスシート１４ｈの外側への折り返し部分の外縁付近で結合されている。このサーフェスシート１４ｈの中央部の縁部と結合部２６ｄとの間の部分が、体液の前後方向への移動に利用される。  これにより、左右一対の垂下部２０ｄにより形成される側面と、左右両側のサーフェスシート１４ｈの液不透過性領域及びその間に存在する液透過部とにより形成される底面とにより構成される、左右方向の幅が狭く、左右両側面が高い、狭くて深い体液の移動通路Ｐが形成される。この体液の移動通路Ｐは、サーフェスシート１４ｈの折り返し部分により形成されるため、サーフェスシート１４ｈの折り返し部分が、浮き上がっているＦＬＧ１６ｄの頭部１８ｄにより垂下部２０ｄを介して上側に引っ張られ、深くなるように変形し得る。  排出された体液は、体液の移動通路Ｐにおいて、サーフェスシート１４ｈの結合部２６ｄよりも内側の部分の表面を移動しつつ、液透過部から吸収体１２ｂに吸収されるようになっている。
【００６１】  図８は、シート状吸収体と一体化されたシート状の防漏体を、中央部に隙間を残して折り畳んだ、図５（Ｃ）に示されるサーフェスシートを有する吸収体物品における、ＦＬＧの垂下部とサーフェスシートとの結合の態様を示している。この態様においては、体液の移動通路の底面が左右両側の防漏性のサーフェスシートと、その間に存在する液透過部とを併有している。排出された体液は、サーフェスシートの表面を移動しつつ、液透過部から吸収体に吸収されるようになっている。また、防漏体及びサーフェスシートと、シート状吸収体とが一体化されているため、構成材料が少なく、かつ、薄くなっている。  図８（Ａ）においては、左右一対のＦＬＧ１６ｅが、いずれも頭部１８ｅが内側に、垂下部２０ｅが外側に向くように配置され、左右一対のＦＬＧ１６ｅの頭部１８ｅが、互いに間隙をおいて対向して配置され、外開き型の態様となっている。  防漏体１０ｄはその上にストライプ状に形成されたＳＡＰを担持している不織布１２ｄ’及びコアラッピングシート１２ｄ”により構成される吸収体１２ｄを内側に包むかたちで左右両側で内側に折り返され、吸収体１２ｄをその中央部を除いて被覆して更に外側に折り返され、内側に折り返された部分及び外側に折り返された部分が、図５（Ｃ）に示されるサーフェスシート１４ｋを構成している。  垂下部２０ｅの下端付近の内側部は、結合部２６ｅで、サーフェスシート１４ｋと結合している。左右一対のＦＬＧ１６ｅの垂下部２０ｅは、それぞれサーフェスシート１４ｋの外側への折り返し部分の外縁付近で結合されている。このサーフェスシート１４ｋの中央部の縁部と結合部２６ｅとの間の部分が、体液の前後方向への移動に利用される。  これにより、左右一対の垂下部２０ｅにより形成される側面と、左右両側のサーフェスシート１４ｋの液不透過性領域及びその間に存在する液透過部とにより形成される底面とにより構成される、左右方向の幅が広く、左右両側面が低い、広くて浅い体液の移動通路Ｐが形成される。この体液の移動通路Ｐは、サーフェスシート１４ｋの折り返し部分により形成されるため、サーフェスシート１４ｋの折り返し部分が、浮き上がっているＦＬＧ１６ｅの頭部１８ｅにより垂下部２０ｅを介して上側に引っ張られ、深くなるように変形し得る。  排出された体液は、体液の移動通路Ｐにおいて、サーフェスシート１４ｋの表面を移動しつつ、液透過部から吸収体１２ｄに吸収されるようになっている。
【００６２】  図８（Ｂ）においては、左右一対のＦＬＧ１６ｆが、いずれも頭部１８ｆが外側に、垂下部２０ｆが内側に向くように配置され、左右一対のＦＬＧ１６ｆの垂下部２０ｆが、互いに間隙をおいて対向して配置され、内閉じ型の態様となっている。  防漏体１０ｄはその上にストライプ状に形成されたＳＡＰを担持している不織布１２ｅ’及びコアラッピングシート１２ｅ”により構成される吸収体１２ｅを内側に包むかたちで左右両側で内側に折り返され、吸収体１２ｅをその中央部を除いて被覆して更に外側に折り返され、内側に折り返された部分及び外側に折り返された部分が、サーフェスシート１４ｍを構成している。サーフェスシート１４ｍは、基本的にサーフェスシート１４ｋと同様であるが、外側への折り返し部分の左右方向の幅が短くなっている。  垂下部２０ｆの下端付近の外側部は、結合部２６ｆで、サーフェスシート１４ｍと結合している。左右一対のＦＬＧ１６ｆの垂下部２０ｆは、それぞれサーフェスシート１４ｍの外側への折り返し部分の外縁付近で結合されている。このサーフェスシート１４ｍの中央部の縁部と結合部２６ｆとの間の部分が、体液の前後方向への移動に利用される。  これにより、左右一対の垂下部２０ｆにより形成される側面と、左右両側のサーフェスシート１４ｍの液不透過性領域及びその間に存在する液透過部とにより形成される底面とにより構成される、左右方向の幅が狭く、左右両側面が高い、狭くて深い体液の移動通路Ｐが形成される。この体液の移動通路Ｐは、サーフェスシート１４ｍの折り返し部分により形成されるため、サーフェスシート１４ｍの折り返し部分が、浮き上がっているＦＬＧ１６ｆの頭部１８ｆにより垂下部２０ｆを介して上側に引っ張られ、より深くなるように変形し得る。  排出された体液は、体液の移動通路Ｐにおいて、サーフェスシート１４ｍの表面を移動しつつ、液透過部から吸収体１２ｅに吸収されるようになっている。
【００６３】  本発明の吸収体物品においては、更に、サーフェスシートの上側に存在するサポートシートを具備し、前記サポートシートが、前記左右一対のフローティングレッグギャザーの前記垂下部と結合され、前記垂下部と前記サポートシートとにより第２の体液の移動通路が形成されているのが好ましい態様の一つである。  図９は、ＦＬＧの垂下部とサーフェスシートとサポートシートとの結合の種々の態様を示す模式的な横端面図である。  図９（Ａ）においては、左右一対のＦＬＧ１６ｇが、いずれも頭部１８ｇが外側に、垂下部２０ｇが内側に向くように配置され、左右一対のＦＬＧ１６ｇの垂下部２０ｇが、互いに間隙をおいて対向して配置され、内閉じ型の態様となっている。  防漏体１０ｂは吸収体１２ｂの左右縁部の外側から吸収体１２ｂの上側表面上に内側に折り返されて、吸収体１２ｂをその中央部を除いて被覆し、さらに、外側に折り返され、内側に折り返された部分及び外側に折り返された部分が、図４（Ｂ）に示されるサーフェスシート１４ｈを構成している。  垂下部２０ｇの下端付近の外側部は、結合部２６ｇで、サポートシート３２を介してサーフェスシート１４ｈと結合している。より具体的には、左右一対のＦＬＧ１６ｇの垂下部２０ｇは、サポートシート３２の上側面の左右縁部と結合部２６ｇ”で結合し、サポートシート３２の左右縁部の下側面がサーフェスシート１４ｈの外側への折り返し部分の外縁付近と結合部２６ｇ’で結合することにより、間接的にサーフェスシート１４ｈと結合部２６ｇで結合している。  これにより、左右両側のサーフェスシート１４ｈの液不透過性領域及びその間に存在する液透過部とにより形成される底面により構成される、体液の移動通路Ｐが形成される。  排出された体液は、体液の移動通路Ｐにおいて、サーフェスシート１４ｈの結合部２６ｇよりも内側の部分の表面を移動しつつ、液透過部から吸収体１２ｂに吸収されるようになっている。  また、左右一対の垂下部２０ｇにより形成される側面と、サポートシート３２により形成される底面により構成される、第２の体液の移動通路Ｐ２が形成される。  排出された体液は、第２の体液の移動通路Ｐ２において、サポートシート３２の上面を移動するようになっている。
【００６４】  上述したような体液の移動通路Ｐと第２の体液の移動通路Ｐ２とからなる２重構造（以下単に「２重構造」ともいう。）は、前身頃Ｆから股下部Ｃを経て後身頃Ｒに至るＦＬＧの全長にわたって形成するのではなく、股下部Ｃから前身頃Ｆにかけての一部分に設けるのが好ましい態様の一つである。  また、吸収体物品の前後方向において、２重構造が存在する領域と、体液の移動通路Ｐが単独で存在する領域とを、併有していてもよい。
【００６５】  図９（Ｂ）においては、左右一対のＦＬＧ１６ｈが、いずれも頭部１８ｈが内側に、垂下部２０ｈが外側に向くように配置され、左右一対のＦＬＧ１６ｈの頭部２０ｈが、互いに間隙をおいて対向して配置され、外開き型の態様となっている。  防漏体１０ｄはその上にストライプ状に形成されたＳＡＰを担持している不織布１２ｄ’及びコアラッピングシート１２ｄ”により構成される吸収体１２ｄを内側に包むかたちで左右両側で内側に折り返され、吸収体１２ｄをその中央部を除いて被覆し、更に、外側に折り返され、内側に折り返された部分及び外側に折り返された部分が、図５（Ｃ）に示されるサーフェスシート１４ｋを構成している。  垂下部２０ｈの下端付近の外側部は、結合部２６ｈで、サポートシート３２ａを介してサーフェスシート１４ｋと結合している。より具体的には、左右一対のＦＬＧ１６ｈの垂下部２０ｈは、サポートシート３２ａの上側面の左右縁部と結合部２６ｈ”で結合し、サポートシート３２の左右縁部の下側面がサーフェスシート１４ｋの外側への折り返し部分の外縁付近と結合部２６ｈ’で結合することにより、間接的にサーフェスシート１４ｋと結合部２６ｈで結合している。  これにより、左右両側のサーフェスシート１４ｋの液不透過性領域及びその間に存在する液透過部とにより形成される底面により構成される、体液の移動通路Ｐが形成される。  排出された体液は、体液の移動通路Ｐにおいて、サーフェスシート１４ｋの結合部２６ｈよりも内側の部分の表面を移動しつつ、液透過部から吸収体１２ｄに吸収されるようになっている。  また、左右一対の垂下部２０ｈにより形成される側面と、サポートシート３２ａにより形成される底面により構成される、第２の体液の移動通路Ｐ２が形成される。  排出された体液は、第２の体液の移動通路Ｐ２において、サポートシート３２ａの上面を移動するようになっている。
【００６６】  上述したような２重構造は、前身頃Ｆから股下部Ｃを経て後身頃Ｒに至るＦＬＧの全長にわたって形成するのではなく、股下部Ｃから前身頃Ｆにかけての一部分に設けるのが好ましい態様の一つである。  また、吸収体物品の前後方向において、２重構造が存在する領域と、体液の移動通路Ｐが単独で存在する領域とを、併有していてもよい。この場合、更に後述する図９（Ｃ）に示されるような体液の移動通路Ｐ２のみが単独で存在する領域を有していてもよい。
【００６７】  図９（Ｃ）においては、左右一対のＦＬＧ１６ｉが、いずれも頭部１８ｉが内側に、垂下部２０ｉが外側に向くように配置され、左右一対のＦＬＧ１６ｉの頭部２０ｉが、互いに間隙をおいて対向して配置され、外開き型の態様となっている。  防漏体１０ｄはその上にストライプ状に形成されたＳＡＰを担持している不織布１２ｄ’及びコアラッピングシート１２ｄ”により構成される吸収体１２ｄを内側に包むかたちで左右両側で内側に折り返され、吸収体１２ｄをその中央部を除いて被覆し、更に、外側に折り返され、内側に折り返された部分及び外側に折り返された部分が、図５（Ｃ）に示されるサーフェスシート１４ｋを構成している。  垂下部２０ｉの下端付近の外側部は、結合部２６ｉで、サポートシート３２ｂと結合している。  これにより、左右一対の垂下部２０ｉにより形成される側面と、サポートシート３２ｂにより形成される底面により構成される、第２の体液の移動通路Ｐ２が形成される。  排出された体液は、第２の体液の移動通路Ｐ２において、サポートシート３２ｂの上面を移動するようになっている。  本発明の吸収体物品が第２の体液の移動通路Ｐ２のみが単独で存在する領域を有すると、第２の体液の移動通路Ｐ２が吸収体物品本体から浮き上がった状態となり、本発明の吸収体物品の着用者へのフィット性がより優れたものとなる。
【００６８】  吸収体物品の前後方向においては、上述したような第２の体液の移動通路Ｐ２のみが単独で存在する領域とともに、体液の移動通路Ｐが単独で存在する領域及び／又は２重構造が存在する領域を有する。  この場合、排出された体液は、第２の体液の移動通路Ｐ２において、サポートシート３２ｂの上面を移動して整流され、その後、第２の体液の移動通路Ｐ２の前後の出口から、体液の移動通路Ｐが単独で存在する領域及び／又は２重構造が存在する領域における体液の移動通路Ｐに移動し、さらに、体液の移動通路Ｐを移動して、吸収体に円滑に吸収される。この点は、後述する図１２及び図１３に示される各吸収体物品において、説明する。
【００６９】  図１０は、種々のサポートシートの構造を示す模式的な平面図である。以下の説明において、垂下部サポートシートの大きさは、子供用おむつのＭサイズ（体重の目安として約６ｋｇ以上）を想定した数値であるが、本発明はこれに限定されない。  図１０（Ａ）に示されるサポートシート３４は、長方形状であり、前後方向の長さ（Ｌ）が左右方向の幅（Ｗ）よりも短い。前後方向の長さよりも左右方向の幅の方が長くなっている。前後方向の長さＬは、２０〜７０ｍｍ程度であるのが好ましく、また、左右方向の幅Ｗは、３０〜１３０ｍｍ程度であるのが好ましい。  サポートシート３４は、垂下部との結合部３６を左右の縁部付近に前後方向のほぼ全長にわたって有し、サーフェスシート又は吸収体の表面との結合部３８を左右方向の中央付近に前後方向のほぼ全長にわたって有している。本発明においては、このように、サポートシートがサーフェスシート又は吸収体の表面との結合部を有しているのが好ましい。
【００７０】  図１０（Ｂ）に示されるサポートシート３４ａは、長方形状であり、前後方向の長さが左右方向の幅よりも長い。前後方向の長さは、１００〜２５０ｍｍ程度であるのが好ましく、また、左右方向の幅は、３０〜１３０ｍｍ程度であるのが好ましい。  サポートシート３４ａは、垂下部との結合部３６ａを左右の縁部付近に前後方向のほぼ全長にわたって有し、サーフェスシート又は吸収体の表面との結合部３８ａを左右方向の中央付近に前端付近及び後端付近の２箇所に有している。
【００７１】  図１０（Ｃ）に示されるサポートシート３４ｂは、変形した長方形状であり、前後方向の長さが左右方向の幅よりも長い。前後方向の長さは、１２０〜３００ｍｍ程度であるのが好ましく、また、左右方向の幅は、３０〜１３０ｍｍ程度であるのが好ましい。具体的には、前端及び後端において中央部に頂点が形成されており、六角形状をしている。  サポートシート３４ｂは、垂下部との結合部３６ｂを左右の縁部付近に前後方向のほぼ全長にわたって有し、サーフェスシート又は吸収体の表面との結合部３８ｂを左右方向の中央付近に前端付近、後端付近及び中央付近の３箇所に有している。吸収体の表面との結合部は、１箇所であってもよく、２箇所であってもよく、４箇所以上であってもよい。
【００７２】  図１０（Ｄ）に示されるサポートシート３４ｃは、変形した長方形状であり、前後方向の長さが左右方向の幅よりも長い。前後方向の長さは、１２０〜３００ｍｍ程度であるのが好ましく、また、左右方向の幅は、３０〜１３０ｍｍ程度であるのが好ましい。具体的には、前端及び後端において中央部が曲線的に凸状を形成している。  サポートシート３４ｃは、前後方向の中央部において、スリット４０がＣ字状に設けられ、スリット４０に囲まれた部分が下側に落ち込むことができるようになっている。この落ち込んだ部分が第２の体液の移動通路の出口として機能する。  サポートシート３４ｃは、垂下部との結合部３６ｃを左右の縁部付近に前後方向のほぼ全長にわたって有し、サーフェスシート又は吸収体の表面との結合部３８ｃを左右方向の中央付近に前端付近、後端付近及びスリット４０に囲まれた部分の３箇所に有している。  サポートシート３４ｃは、吸収体物品本体の長さ方向の前端部から前身頃、股下部及び後身頃を経て後端部にわたって配置されるのが好ましい。
【００７３】  図１０（Ｅ）に示されるサポートシート３４ｄは、変形した長方形状であり、前後方向の長さが左右方向の幅よりも長い。前後方向の長さは、１００〜１５０ｍｍ程度であるのが好ましく、また、左右方向の幅は、３０〜１３０ｍｍ程度であるのが好ましい。具体的には、後端において中央部が曲線的に凸状を形成し、かつ、切欠部４２を有している。  サポートシート３４ｄは、垂下部との結合部３６ｄを左右の縁部付近に前後方向のほぼ全長にわたって有し、サーフェスシート又は吸収体の表面との結合部３８ｄを左右方向の中央付近に前端付近の１箇所と、後端付近の切欠部４２の両側２箇所の合計３箇所に有している。切欠部４２の付近は、第２の体液の移動通路の出口として機能する。
【００７４】  サポートシートは、左右一対の垂下部と結合して、垂下部が左右の側面となり、サポートシートが底面となった第２の体液の移動通路Ｐ２を形成するため、第２の体液の移動通路Ｐ２から体液の移動通路Ｐに尿が漏れないのが好ましい。したがって、サポートシートの材質としては、防漏性を有する疎水性材料であるのが好ましい。例えば、ＰＰ、ＰＥ系のスパンメルト不織布；ソフトなＰＥ、ＰＰ、ＥＶＡ、ポリウレタン等の合成樹脂フィルム類が挙げられる。  他方、サポートシートは、尿の円滑な移動（迅速で均一な移動）のためには、親水性表面を有しているのが好ましい。  これらの点に鑑み、サポートシートとしては、疎水性材料と親水性材料とを組み合わせて複合化したものが好ましい態様の一つである。  疎水性材料と親水性材料とを組み合わせて複合化する方法としては、例えば、ラミネート、コーティング、接着剤を用いての張合せが挙げられる。  疎水性材料と親水性材料とを組み合わせて複合化したサポートシートとしては、例えば、ＰＰ・ＳＭＳ不織布とＰＥフィルムとを張り合わせたもの、ティッシュとＰＥフィルムとのラミネート、レーヨン不織布とＥＶＡフィルムとのラミネートが挙げられる。  サポートシートは、前後方向及び左右方向の全範囲にわたって疎水性材料と親水性材料とを複合化していてもよく、その一部のみが複合化していてもよい。
【００７５】  以下、本発明の吸収体物品について、実施例に基づき、より具体的に説明する。
【００７６】  図１１は、本発明の吸収体物品の実施例を示す模式図である。図１１（Ａ）は、パンツ型おむつの態様である吸収体物品をそのウェストギャザーの左右両側の部分（図中のＺ及びＺ’）で切断して、吸収体物品に応力を加えて前後方向及び左右方向に引っ張って展開し、ほぼ平面状にした状態を模式的に示した平面展開図である。図１１（Ｂ）は、吸収体物品に応力を加えない場合の（弛緩状態の）図１１（Ａ）中のＸＩＢ−ＸＩＢ線に沿った横端面図である。  図１１に示される本発明の吸収体物品１０２は、パンツ型おむつとして構成されており、基本的に、シート状の防漏体１０ｄと、防漏体１０ｄの上部に少なくとも一層配置された、体液を吸収しうる吸収体１２ｄと、吸収体１２ｄの上面の全部を被覆する、一部に液不透過性領域を有するサーフェスシート１４ｋと、吸収体１２ｄの上部に、吸収体物品本体の長さ方向の前端部から前身頃Ｆ、股下部Ｃ及び後身頃Ｒを経て後端部にわたって配置される左右一対のＦＬＧ１６ｅとを具備する。  防漏体１０ｄ、吸収体１２ｄ及びサーフェスシート１４ｋの詳細については、図５（Ｃ）を用いて説明したとおりである。これらとＦＬＧ１６ｅとの関係は、図８（Ａ）を用いて説明したとおりであり、外開き型の態様となっている。  より具体的には、防漏体１０ｄ、吸収体１２ｄ及びサーフェスシート１４ｋとして、シート状吸収体（例えば、（株）日本吸収体技術研究所製のＭｅｇａＴｈｉｎ（登録商標）（目付量１８０ｇ／ｍ2））に、通気性ＰＥフィルム（例えば、厚さ２０μｍ）とＰＥ／ＰＰ製スパンボンド不織布（例えば、目付量１５ｇ／ｍ2（例えば、チッソ社製））との複合シートを積層したものに、更に、コアラッピングシート１２ｄ”としてＰＥ製の開口フィルム（例えば、目付量１５ｇ／ｍ2（例えば、ＤＲＹ  ＷＥＡＶＥ、ＴＲＥＤＥＧＡＲ社製））を組み合わせたものが好適に用いられる。シート状吸収体としては、上述した高吸水性複合シートが好適に用いられる。
【００７７】  本発明の吸収体物品１０２は、２種類のレッグギャザーを具備する。すなわち、上述したＦＬＧ１６ｅの他に、吸収体物品本体の側縁部に存在するＯＬＧ３１を具備する。ＯＬＧ３１は、並列した３本のポリウレタンフィラメント（伸縮性部材）が折り返された不織布の間に接合された状態で構成され、吸収体１２ｄとともに折り返された防漏体１０ｄの底面の側縁部に隣接するように設けられている。
【００７８】  吸収体物品１０２においては、防漏体１０ｄの下側に外装シート４４が設けられている。  外装シート４４は、パンツ型おむつにおいて用いられる、着用者の身体を被包するための装着機能を担う部材である。具体的には、前身頃Ｆ、股下部Ｃ及び後身頃Ｒの各部を形成するシート状の部材が用いられる。  吸収体物品１０２のようなパンツ型おむつにおいては、防漏体１０ｄにより尿等の漏れが防止されるため、外装シート４４には、液不透過性材料を用いる必要がない。外装シート４４としては、例えば、従来公知の吸収体物品に用いられる外装シートを用いることができる。具体的には、例えば、ポリエチレン、ポリプロピレン、ポリエステルその他の熱可塑性樹脂からなる合成繊維によって構成された不織布を外装シート４４として用いることができる。  吸収体物品１０２においては、外装シート４４が２枚の不織布が伸縮性部材（例えば、ポリウレタンフィラメント）を挟んでシャーリングギャザー４６を構成している。シャーリングギャザー４６は、着用時に着用者の腹部及び背部を被覆する位置に設けられている。本発明においては、シャーリングギャザーの構成は、特に限定されず、例えば、従来公知のシャーリングギャザーの構成とすることができる。
【００７９】  本発明の吸収体物品１０２は、更に、防漏体１０ｄの前端付近及び後端付近において、ウェストギャザー４８を具備する。  ウェストギャザー４８は、吸収体物品１０２本体の前端部と後端部とを連結し、おむつをウェスト周りに密着させ、ずれ落ちを防ぐ固定バンドとして働く。ウェストギャザー４８は、伸縮性部材（例えば、ポリウレタンフィラメント）を不織布で被覆して形成されている。  本発明においては、ウェストギャザーの構成は、特に限定されず、例えば、従来公知のウェストギャザーを用いることができる。具体的には、例えば、吸収体物品１０２におけるような伸縮性部材（例えば、ポリウレタンフィラメント）を不織布で被覆して形成される構成、外装シートの前端部及び後端部を上側に折り返して伸縮性部材（例えば、ポリウレタンフィラメント）を被覆して形成される構成が挙げられる。
【００８０】  左右一対のＦＬＧ１６ｅの頭部１８ｅは、約４０ｍｍの間隙を置いて対向している。  ＦＬＧ１６ｅは、おむつ本体の前端及び後端と、それぞれ前端結合部２３及び後端結合部２５において固定されている。前端結合部２３及び後端結合部２５は、垂下部２０ｅ側が頭部１８ｅ側より長く、前身頃Ｆ及び後身頃Ｒの吸収体１２ｄの表面（サーフェスシート１４ｋの表面）の一部にまで及んでいる。  ＦＬＧ１６ｅの頭部１８ｅは、前身頃Ｆの大部分、股下部Ｃ及び後身頃Ｒの大部分において、固定されずに、フローティング状態に保たれている。
【００８１】  ＦＬＧ１６ｅの垂下部２０ｅは、その下端が、サーフェスシート１４ｋの外側への折り返し部の側縁部と、結合部２６ｅで結合している。結合部２６ｅは、前身頃側においては前端結合部２３、後身頃側においては後端結合部２５とそれぞれつながっており、垂下部２０ｅの全長にわたっている。これにより、吸収体物品１０２においては、体液を受け入れる左右一対の頭部１８ｅ間に形成される開口以外は、左右一対のＦＬＧ１６ｅの内部空間は密閉され、体液の出口のないカプセル状の構造になっている。
【００８２】  おむつ本体の前端部及び後端部においては、左右一対のＦＬＧ１６ｅとサーフェスシート１４ｋの表面との結合によって構成された前部コーナーポケット５０と後部コーナーポケット５２が形成されている。  前部コーナーポケット５０と後部コーナーポケット５２の上側には、シャーリングギャザー４６等により構成されるウェストバンドから延展されたエンドキャップが設けられ、このエンドキャップにより左右のコーナーポケット間の隙間も含めて被覆され、上下端部からの体液の漏れが発生しないように密閉されている。  おむつ本体の左右両側の縁部には、ＯＬＧ３１が設けられている。
【００８３】  このおむつに尿が排出されると、尿は左右一対のＦＬＧ１６ｅの頭部１８ｅ間の開口から受容され、その全量が前身頃Ｆから股下部Ｃを経て後身頃Ｒにかけて全長にわたって存在する、左右方向の中央部に吸収体１２ｄ、その左右両側にサーフェスシート１４ｋの外側への折り返し部を備えた体液の移動通路Ｐに収容される。  体液の移動通路Ｐに収容された尿は、左右方向の中央に露出している吸収体１２ｄに吸収されつつ、サーフェスシート１４ｋで形成されている液不透過性の部分を前後に移動する。体液の移動通路Ｐには、上述したように、出口がないため、尿はほぼ全量が前後に移動しつつ吸収体１２ｄに吸収されることになる。  排出された尿のうち、着用者の肌とが接触する可能性があるのは、体液の移動通路Ｐの底面に付着した少量の尿のみである。また、体液の移動通路Ｐの側面を形成するＦＬＧ１６ｅの垂下部２０ｅとＦＬＧ１６ｅの頭部１８ｅがバリヤーとなる。したがって、おむつの使用開始から使用終了に至るまでのおむつの全使用期間（ｌｉｆｅ  ｔｉｍｅ）にわたって、着用者の肌が尿と接触する機会が極めて抑制され、ひいては蒸れやかぶれの発生が抑制される。
【００８４】  つぎに、便が排出された場合について説明する。  排出された便は、尿の場合と同様に、左右一対のＦＬＧ１６ｅの頭部１８ｅ間の開口から受容され、垂れ下がった垂下部２０ｅにより体液の移動通路Ｐ内に誘導されて、左右方向の中央部に吸収体１２ｄ、その左右両側にサーフェスシート１４ｋの外側への折り返し部を備えた体液の移動通路Ｐに収容される。  便が固形便である場合は、便はそのまま収容された位置（多くは、左右方向の中央部付近）にとどまるが、水様性の便である場合は、吸収体１２ｄ上に拡散して、含有水分が吸収体１２ｄに吸収され、固形分が吸収体１２ｄの表面及び／又はサーフェスシート１４ｋの表面に残る。  排出された便と着用者の肌との接触は、ＦＬＧの頭部及び垂下部が着用者の肌と吸収体の表面とが接触することの物理的な障害となるため、従来のおむつに比べて大幅に抑制される。具体的には、固形便である場合は、肛門の周辺のみが汚れるため、例えば、このおむつを高齢者用とした場合、看護者の清拭の負担が軽減されることになる。
【００８５】  図１２は、本発明の吸収体物品の別の実施例を示す模式図である。  図１２（Ａ）は、パンツ型おむつの態様である吸収体物品をそのウェストギャザーの左右両側の部分（図中のＺ及びＺ’）で切断して、吸収体物品に応力を加えて前後方向及び左右方向に引っ張って展開し、ほぼ平面状にした状態を模式的に示した平面展開図である。図１２（Ｂ）は、吸収体物品に応力を加えない場合の（弛緩状態の）図１２（Ａ）中のＸＩＩＢ−ＸＩＩＢ線に沿った横端面図である。図１２（Ｃ）は、吸収体物品に応力を加えない場合の（弛緩状態の）図１２（Ａ）中のＸＩＩＣ−ＸＩＩＣ線に沿った横端面図である。  図１２に示される本発明の吸収体物品１０４は、パンツ型子供用おむつとして構成されており、基本的に、図１１に示される吸収体物品１０２と同様であるが、更にサポートシート３４ａを具備する点で異なる。  サポートシート３４ａは、図１０（Ｂ）に示される長方形状のものであり、前後方向の長さは約１１０ｍｍ、左右方向の幅は約１２０ｍｍである。ただし、吸収体１２ｄの表面との結合部３８ｅは、左右方向の中央付近に後端付近の１箇所のみである。  防漏体１０ｄ、吸収体１２ｄ及びサーフェスシート１４の詳細については、図５（Ｃ）を用いて説明したとおりである。これらとＦＬＧ１６ｈ及びサポートシート３４ａとの関係は、図９（Ｂ）を用いて説明したとおりであり、外開き型の態様となっている。
【００８６】  左右一対のＦＬＧ１６ｈの頭部１８ｈは、約４０ｍｍの間隙を置いて対向している。  ＦＬＧ１６ｈは、おむつ本体の前端及び後端と、それぞれ前端結合部２３及び後端結合部２５において固定されている。前端結合部２３及び後端結合部２５は、垂下部２０ｈ側が頭部１８ｈ側より長く、前身頃Ｆ及び後身頃Ｒの吸収体１２ｄの表面（サーフェスシート１４ｋの表面）の一部にまで及んでいる。  ＦＬＧ１６ｈの頭部１８ｈは、前身頃Ｆの大部分、股下部Ｃ及び後身頃Ｒの大部分において、固定されずに、フローティング状態に保たれている。
【００８７】  ＦＬＧ１６ｈの垂下部２０ｈは、前後方向のサポートシート３４ａが存在する領域においては、その下端が、サポートシート３４ａの左右の縁部の上側面と結合部２６ｈ”で結合し、サポートシート３４ａの左右の縁部の下側面は、サーフェスシートゾーン１４ｋの外側への折り返し部の側縁部と結合部２６ｈ’で結合している（図１２（Ｂ）参照）。すなわち、ＦＬＧ１６ｈの垂下部２０ｈは、結合部２６ｈ”及び結合部２６ｈ’とからなる結合部２６ｈを介して、サポートシート３４ａと結合している。  サポートシート３４ａは、左右方向の中央部における結合部３８ｅにおいて、吸収体１２ｄのコアラッピングシート１２ｄ”に結合している。
【００８８】  ＦＬＧ１６ｈの垂下部２０ｈは、前後方向のサポートシート３４ａが存在しない領域においては、その下端が、サーフェスシートゾーン１４ｋの外側への折り返し部の側縁部と、結合部２６ｊで結合している（図１２（Ｃ）参照）。結合部２６ｊは、前身頃側においては前端結合部２３、後身頃側においては後端結合部２５とそれぞれつながっている。
【００８９】  図１２（Ｂ）に示されるように、サポートシート３４ａは、垂下部２０ｈとともに、第２の体液の移動通路Ｐ２を形成している。  また、サポートシート３４ａが存在する領域では、左右両側に存在するサーフェスシート１４ｋの外側への折り返し部の上面とサポートシート３４ａの下面との間の空間、及び、左右方向の中央部に存在する吸収体１２ｄのコアラッピングシート１２ｄ”とサポートシート３４ａの下面との間の空間は、体液の移動通路Ｐを形成している。  したがって、サポートシート３４ａが存在する領域では、体液の移動通路Ｐの上側に、第２の体液の移動通路Ｐ２が存在している。  他方、図１２（Ｃ）に示されるように、サポートシート３４ａが存在しない領域では、左右両側に存在する外側へ折り返されたサーフェスシート１４ｋ及び左右方向の中央部に存在する吸収体１２ｄのコアラッピングシート１２ｄ”が、垂下部２０ｈとともに、体液の移動通路Ｐを形成している。
【００９０】  このおむつに尿が排出されると、尿は左右一対のＦＬＧ１６ｈの頭部１８ｈ間の開口から受容され、その全量が前身頃Ｆから股下部Ｃにかけて存在する、第２の体液の移動通路Ｐ２に収容される。  第２の体液の移動通路Ｐ２に収容された尿は、整流されつつ、第２の体液の移動通路Ｐ２の後端から排出されて、体液の移動通路Ｐに移動する。  体液の移動通路Ｐに移動した尿は、左右方向の中央に露出している吸収体１２ｄに吸収されつつ、サーフェスシート１４ｋで形成されている液不透過性の部分を前後に移動する。体液の移動通路Ｐには、出口がないため、尿はほぼ全量が前後に移動しつつ吸収体１２ｄに吸収されることになる。  排出された尿のうち、着用者の肌とが接触する可能性があるのは、体液の移動通路Ｐの底面に付着した少量の尿のみである。また、体液の移動通路Ｐの側面を形成するＦＬＧ１６ｈの垂下部２０ｈとＦＬＧ１６ｈの頭部１８ｈがバリヤーとなる。したがって、おむつの使用開始から使用終了に至るまでのおむつの全使用期間（ｌｉｆｅ  ｔｉｍｅ）にわたって、着用者の肌が尿と接触する機会が極めて抑制され、ひいては蒸れやかぶれの発生が抑制される。
【００９１】  つぎに、便が排出された場合について説明する。  排出された便は、尿の場合と同様に、左右一対のＦＬＧ１６ｈの頭部１８ｈ間の開口から受容され、後身頃Ｒにはサポートシート３４ａが存在しないため、垂れ下がった垂下部２０ｈにより体液の移動通路Ｐ内に誘導されて、左右方向の中央部に吸収体１２ｄ、その左右両側にサーフェスシート１４ｋの外側への折り返し部を備えた体液の移動通路Ｐに収容される。  便が固形便である場合は、便はそのまま収容された位置（多くは、左右方向の中央部付近）にとどまるが、水様性の便である場合は、吸収体１２ｄ上に拡散して、含有水分が吸収体１２ｄに吸収され、固形分が吸収体１２ｄの表面及び／又はサーフェスシート１４ｋの表面に残る。  排出された便と着用者の肌との接触は、ＦＬＧの頭部及び垂下部が着用者の肌と吸収体の表面とが接触することの物理的な障害となるため、従来のおむつに比べて大幅に抑制される。具体的には、固形便である場合は、肛門の周辺のみが汚れるため、例えば、このおむつを高齢者用とした場合、看護者の清拭の負担が軽減されることになる。
【００９２】  図１３は、本発明の吸収体物品の更に別の実施例を示す模式図である。  図１３（Ａ）は、パンツ型おむつの態様である吸収体物品をそのウェストギャザーの左右両側の部分（図中のＺ及びＺ’）で切断して、吸収体物品に応力を加えて前後方向及び左右方向に引っ張って展開し、ほぼ平面状にした状態を模式的に示した平面展開図である。図１３（Ｂ）は、吸収体物品に応力を加えない場合の（弛緩状態の）図１３（Ａ）中のＸＩＩＩＢ−ＸＩＩＩＢ線に沿った横端面図である。図１３（Ｃ）は、吸収体物品に応力を加えない場合の（弛緩状態の）図１３（Ａ）中のＸＩＩＩＣ−ＸＩＩＩＣ線に沿った横端面図である。  図１３に示される本発明の吸収体物品１０６は、パンツ型子供用おむつとして構成されており、基本的に、図１２に示される吸収体物品１０４と同様であるが、サポートシート３４ａの存在状態が異なる。  すなわち、サポートシート３４ａは、図９（Ｃ）に示される態様と同様に、左右一対のＦＬＧ１６ｉの垂下部２０ｉとは結合部２６ｉにおいて結合しているが、サーフェスシート１４ｋとは結合していない（図１３（Ｂ）参照）。  なお、サポートシート３４ａが存在しない領域においては、吸収体物品１０４と同様に、サーフェスシート１４ｋが左右一対の垂下部２０ｉと結合部２６ｊにおいて結合している（図１３（Ｃ）参照）。この結合部２６ｊは、図１３（Ａ）に示されるように、サポートシート３４ａが存在する領域を除いて、前身頃Ｒから股下部Ｃを経て後身頃Ｒに至り、吸収体物品本体の前端部及び後端部とそれぞれ結合して、体液の移動通路Ｐを形成している。  これにより、サポートシート３４ａと垂下部２０ｉとで形成された第２の体液の移動通路Ｐ２は、股下部で全体が浮き上がって、吸収体の表面とは離間した構造となり、股下部Ｃの着用者の身体へのフィット性がより優れたものとなる。
【００９３】  このおむつに尿及び便が排出された際の挙動は、吸収体物品１０４の場合とほぼ同様である。
【００９４】  以上、本発明の吸収体物品を図示の各実施形態に基づいて説明したが、本発明は、これらに限定されるものではなく、例えば、各部の構成は、同様の機能を発揮しうる任意の構成と置換することができる。  また、各実施形態における各部の構成を任意に組み合わせて、別の実施形態とすることもできる。
【００９５】  本発明の吸収体物品は、紙おむつ（子供用及び大人用）、失禁用品、トレーニングパンツ等に好適に用いられる。
【符号の説明】
【００９６】  １、１６、１６ａ、１６ｂ、１６ｃ、１６ｄ、１６ｅ、１６ｆ、１６ｇ、１６ｈ、１６ｉ  フローティングレッグギャザー（ＦＬＧ）  ２、１８、１８ａ、１８ｂ、１８ｃ、１８ｄ、１８ｅ、１８ｆ、１８ｇ、１８ｈ、１８ｉ  頭部  ３、２０、２０ａ、２０ｂ、２０ｃ、２０ｄ、２０ｅ、２０ｆ、２０ｇ、２０ｈ、２０ｉ  垂下部  ４、１２、１２ａ、１２ｂ、１２ｃ、１２ｄ、１２ｅ、１３  吸収体  ５、１４、１４ａ、１４ｂ、１４ｃ、１４ｄ、１４ｅ、１４ｆ、１４ｇ、１４ｈ、１４ｉ、１４ｊ、１４ｋ、１４ｌ、１４ｍ  サーフェスシート  ６、６’、２６、２６ａ、２６ｂ、２６ｃ、２６ｄ、２６ｅ、２６ｆ、２６ｇ、２６ｇ’、２６ｇ”、２６ｈ、２６ｈ’、２６ｈ”、２６ｉ、２６ｊ、３６、３６ａ、３６ｂ、３６ｃ、３６ｄ、３８、３８ａ、３８ｂ、３８ｃ、３８ｄ、３８ｅ  結合部  １０、１０ａ、１０ｂ、１０ｃ、１０ｄ  防漏体  １１、１１ａ  高吸水性複合シート  １１’、１１ａ’  耐水性不織布層  １１”、１１ａ”  ティッシュ  １２ｃ’１２ｄ’、１２ｅ’  ＳＡＰを担持している不織布  １２ｃ”、１２ｄ”、１２ｅ”  コアラッピングシート  １４’、１４ｃ’、１４ｌ’  開口フィルム  １４”、１４ｃ” 、１４ｌ”  シールフィルム  １４ａ’、１４ｂ’、１４ｄ’、１４ｅ’  液不透過性シート  １４ａ”、１４ｂ”、１４ｄ”、１４ｅ”、１４ｆ’  液透過性シート  １４ｆ”  接着部  ２２、２３  前端結合部  ２４、２５  後端結合部  ２８  着脱部材  ３０、３１  アウターレッグギャザー（ＯＬＧ）  ３２、３２ａ、３２ｂ、３４、３４ａ、３４ｂ、３４ｃ、３４ｄ  サポートシート  ４０  スリット  ４２  切欠部  ４４  外装シート  ４６  シャーリングギャザー  ４８  ウェストギャザー  ５０  前部コーナーポケット  ５２  後部コーナーポケット  １００、１００ａ、１００ｂ、１００ｃ、１００ｄ、１００ｅ、１００ｆ、１００ｇ、１００ｈ、１００ｉ、１００ｊ、１００ｋ、１０２、１０４、１０６  吸収体物品  Ｃ  股下部  Ｆ  前身頃  Ｎａ  液不透過性領域  Ｐ  体液の移動通路  Ｐ２  第２の体液の移動通路  Ｐａ  液透過性領域  Ｒ  後身頃
【要約】【課題】着用時の拘束感が少なく、蒸れやかぶれの発生が抑制された吸収体物品の提供。【解決手段】シート状の防漏体（１０）と、防漏体の上部に少なくとも一層配置された、体液を吸収しうる吸収体（１２）と、吸収体の上面の少なくとも一部を被覆する、少なくとも一部に液不透過性領域（Ｎａ）を有するサーフェスシート（１４）と、吸収体の上部に、吸収体物品本体の長さ方向の前端部から前身頃、股下部及び後身頃を経て後端部にわたって配置される左右一対のフローティングレッグギャザー（１６）とを具備し、フローティングレッグギャザーが、頭部（１８）と頭部に連なる垂下部（２０）とを有し、フローティングレッグギャザーの前端部及び後端部が、吸収体物品本体の前端部近傍及び後端部近傍にそれぞれ結合（２２，２４）されて、垂下部が頭部から吸収体に向かって垂れ下がるように構成され、左右一対のフローティングレッグギャザーの垂下部が、それぞれサーフェスシートと結合（２６）され、体液の移動通路（Ｐ）が形成されている、吸収体物品。【図１】
0005384747.tif 000002
【図２】
0005384747.tif 000003
【図３】
0005384747.tif 000004
【図４】
0005384747.tif 000005
【図５】
0005384747.tif 000006
【図６】
0005384747.tif 000007
【図７】
0005384747.tif 000008
【図８】
0005384747.tif 000009
【図９】
0005384747.tif 000010
【図１０】
0005384747.tif 000011
【図１１】
0005384747.tif 000012
【図１２】
0005384747.tif 000013
【図１３】
0005384747.tif 000014